(57)【要約】   広帯域無線接続通信システムにおける媒体接続制御階層の動作状態を制御する方法を開示する。このような方法は、送信されるデータがアクセスステートで発生することを検出すると、コンテンションベース方式に従うアップリンクアクセスを遂行するのに必要なリソースを使用して、基地局にコンテンションベース方式のアップリンクアクセスを遂行するステップと、コンテンションベース方式のアップリンクアクセスに失敗する場合に、基地局から非コンテンション方式のアップリンクアクセスを遂行するのに必要なリソースを受信するステップと、非コンテンション方式のアップリンクアクセスを遂行するのに必要なリソースを受信する場合に、アクセスステートからトラヒックステートへの状態遷移を遂行し、トラヒックステートで受信されたリソースを使用して、基地局に非コンテンション方式のアップリンクアクセスを遂行するステップとを具備する。
2007504708.tif 000002
【特許請求の範囲】
【請求項１】
広帯域無線接続通信システムにおける媒体接続制御階層の動作状態を制御する方法であって、
送信されるデータがアクセスステートで発生することを検出すると、コンテンションベース方式に従うアップリンクアクセスを遂行するのに必要なリソースを使用して、基地局にコンテンションベース方式のアップリンクアクセスを遂行するステップと、
前記コンテンションベース方式のアップリンクアクセスに失敗する場合に、前記基地局から非コンテンション方式のアップリンクアクセスを遂行するのに必要なリソースを受信するステップと、
前記非コンテンション方式のアップリンクアクセスを遂行するのに必要なリソースを受信する場合に、前記アクセスステートからトラヒックステートへの状態遷移を遂行し、前記トラヒックステートで、前記受信されたリソースを使用して、前記基地局に前記非コンテンション方式のアップリンクアクセスを遂行するステップと
を具備することを特徴とする方法。
【請求項２】
前記非コンテンション方式のアップリンクアクセスに成功する場合に、前記データを前記基地局へ送信するステップをさらに具備することを特徴とする請求項１記載の方法。
【請求項３】
前記コンテンションベース方式のアップリンクアクセスを遂行するのに必要なリソースは、前記データのサービス品質クラスに従って決定されることを特徴とする請求項１記載の方法。
【請求項４】
前記非コンテンション方式のアップリンクアクセスを遂行するのに必要なリソースは、前記データがあらかじめ定められた優先順位よりも大きいか、又は同一のサービス品質のクラスを有する場合にのみ割り当てられることを特徴とする請求項１記載の方法。
【請求項５】
前記コンテンションベース方式のアップリンクアクセスを遂行するのに必要なリソースは、前記サービス品質のクラスのそれぞれに従って分類されたコードと、前記サービス品質のクラスの優先順位が高いほど、該当サービス品質のクラスに分類されるコードの個数が増加することを特徴とする請求項３記載の方法。
【請求項６】
前記非コンテンション方式のアップリンクアクセスを遂行するのに必要なリソースは、タイムスロットを含むことを特徴とする請求項１記載の方法。
【請求項７】
媒体接続制御階層がリセットに従う初期動作を遂行するヌルステートと、基地局との同期を獲得し、前記基地局へネットワーク進入動作を遂行する初期化状態と、前記基地局の制御により、あるいは、前記基地局へ送信されるデータが存在する場合に、ウェイクアップ動作を遂行するスリーピングステートと、前記基地局に非コンテンション方式のアップリンクアクセスを遂行するアクセスステートと、前記基地局とデータを送受信するトラヒックステートとを有する広帯域無線接続通信システムにおいて、前記媒体接続制御階層の動作状態を制御する方法であって、
前記基地局が、サービス品質のクラスのそれぞれに従って、前記コンテンションベース方式のアップリンクアクセスのためのコードを割り当て、非コンテンション方式のアップリンクアクセスのためのコードを割り当てるステップと、
加入者端末機が、前記アクセスステートでアップリンクを介して送信されるデータが発生すると、送信される前記データのサービス品質のクラスに従って、前記割り当てられているコンテンションベース方式のアップリンクアクセスのためのコードのうちの任意の第１のコードを選択し、前記第１のコードを使用して、前記基地局に前記コンテンションベース方式のアップリンクアクセスを遂行するステップと、
前記基地局が、前記加入者端末機が遂行したアップリンクアクセスに応じて、前記加入者端末機に前記加入者端末機のデータ送信のためのリソースの割当てに失敗すると、前記加入者端末機が非コンテンション方式のアップリンクアクセスを遂行することができるように、前記非コンテンション方式のアップリンクアクセスのためのコードのうちの任意の第２のコードを前記加入者端末機に割り当てるステップと、
前記加入者端末機が前記第２のコードの割当を受けるに従って、前記アクセスステートから前記トラヒックステートへの状態遷移を遂行し、前記ステートで、前記第２のコードを使用して、前記基地局に前記非コンテンション方式のアップリンクアクセスを遂行するステップと
を具備することを特徴とする方法。
【請求項８】
前記非コンテンション方式のアップリンクアクセスを遂行した後に、前記加入者端末機は、前記非コンテンション方式のアップリンクアクセスに成功する場合に、前記データを前記基地局へ送信するステップをさらに具備することを特徴とする請求項７記載の方法。
【請求項９】
前記基地局が前記第２のコードを割り当てるステップは、
前記データがあらかじめ定められた優先順位より大きいか、または同一であるサービス品質のクラスを有する場合にのみ前記第２のコードを割り当てることを特徴とする請求項７記載の方法。
【請求項１０】
前記基地局が、前記サービス品質のクラスのそれぞれに従って、前記非コンテンション方式のアップリンクアクセスのためのコードを割り当てるステップは、前記サービス品質のクラスの優先順位が高いほど、該当サービス品質のクラスに分類されるコードの個数が増加することを特徴とする請求項３記載の方法。
【請求項１１】
広帯域無線接続通信システムにおける媒体接続制御階層の動作状態を制御する方法であって、
初期化状態のシステム検出モードで、加入者端末機の自身が属する基地局との同期を獲得した後に、ネットワーク進入モードへ遷移し、前記ネットワーク進入モードで、前記基地局とネットワーク進入動作を遂行するステップと、
前記ネットワーク進入動作を遂行した後に、前記基地局と送受信されるデータが存在しないと、前記ネットワーク進入モードからスリーピングステートのスリーピングモードへ遷移し、あるいは、前記基地局へ送信されるデータが存在すると、前記ネットワーク進入モードからアクセスステートへ遷移し、あるいは、前記基地局から受信されるデータが存在すると、前記ネットワーク進入モードからトラヒックステートへ遷移するステップと、
前記スリーピングモードで、前記基地局へ送信されるデータが存在するか、あるいは、前記基地局のウェイクアップの要求が存在すると、前記スリーピングステートのアウェイクモードへ遷移し、前記基地局へ送信されるデータが存在すると、前記アウェイクモードから前記アクセスステートへ遷移するステップと、
前記アウェイクモードで、前記基地局からあらかじめ定められた情報を受信し、あらかじめ定められた前記情報に従って、前記アウェイクモードから前記スリーピングモードへ遷移するか、あるいは、前記アウェイクモードから前記トラヒックステートへ遷移するステップと
を具備することを特徴とする方法。
【請求項１２】
前記基地局とネットワーク進入動作を遂行するステップは、
あらかじめ設定されているアップリンクアクセス情報に該当するアクセスチャンネルを介して前記基地局へネットワーク進入要求メッセージを送信するステップと、
前記ネットワーク進入要求メッセージに応じて、前記スリーピングモードで、前記加入者端末機が前記基地局から前記基地局のウェイクアップ要求が存在するか否かを検出するためにモニタリングしなければならないウェイクアップチャンネルのスロットインデックス情報を含むネットワーク進入応答メッセージを受信するステップと
を具備することを特徴とする請求項１１記載の方法。
【請求項１３】
前記スリーピングモードで、前記ウェイクアップチャンネルのみをモニタリングするステップをさらに具備することを特徴とする請求項１２記載の方法。
【請求項１４】
前記加入者端末機がモニタリングしなければならないウェイクアップチャンネルのスロットインデックスは、前記基地局内で特定の値として決定され、前記基地局内で持続的に維持されることを特徴とする請求項１２記載の方法。
【請求項１５】
広帯域無線接続通信システムにおける媒体接続制御階層の動作状態を制御する方法であって、
基地局は、加入者端末機との同期獲得のためのパイロットチャンネル信号と、前記広帯域無線接続通信システムのシステム情報を含むブロードキャストチャンネル信号を送信するステップと、
加入者端末機は、初期化状態のシステム検出モードで、前記パイロットチャンネル信号を使用して、前記加入者端末機の自身が属している基地局との同期を獲得した後に、ネットワーク進入モードへ遷移するステップと、
前記加入者端末機は、前記ネットワーク進入モードで前記ブロードキャストチャンネル信号を受信して、前記基地局へネットワーク進入要求メッセージを送信するステップと、
前記基地局は、前記ネットワーク進入要求メッセージに応じて、前記加入者端末機がスリーピングステートのスリーピングモードでモニタリングしなければならないウェイクアップチャンネルのスロットインデックス情報を含むネットワーク進入応答メッセージを前記加入者端末機へ送信するステップと、
前記加入者端末機は、前記ネットワーク進入応答メッセージを受信した後に、前記基地局と送受信されるデータが存在しないと、前記スリーピングモードへ遷移して、前記スロットインデックス情報に該当する前記ウェイクアップチャンネルのウェイクアップインジケータをモニタリングするステップと
を具備することを特徴とする方法。
【請求項１６】
前記基地局は、
前記ネットワーク進入応答メッセージを送信した後に、前記加入者端末機へ送信されるデータが存在するか、あるいは、前記システム情報が更新される場合に、前記スロットインデックス情報に相応するウェイクアップインジケータを‘オン’に設定して、前記ウェイクアップチャンネル信号を送信するステップと、
前記加入者端末機は、前記スロットインデックス情報に該当する前記ウェイクアップチャンネルのウェイクアップインジケータが‘オン’に設定されている場合に、前記スリーピングモードから前記スリーピングステートのアウェイクモードへ遷移するステップと、
前記基地局は、前記更新されたシステム情報、あるいは、前記加入者端末機へ送信されるデータが存在することを示す呼出し情報を含む前記ブロードキャストチャンネル信号を送信するステップと、
前記加入者端末機は、前記ブロードキャストチャンネル信号を受信して、前記更新されたシステム情報が含まれている場合には、前記更新されたシステム情報を適用した後に前記スリーピングモードへ遷移し、前記呼出し情報が含まれている場合には、トラヒックステートへ遷移するステップと
をさらに具備することを特徴とする請求項１５記載の方法。
【請求項１７】
前記基地局は、
前記ネットワーク進入応答メッセージを送信した後に、前記加入者端末機へ送信されるデータが存在しないか、あるいは、前記システム情報が更新されない場合に、前記スロットインデックス情報に相応するウェイクアップインジケータを‘オフ’に設定して、前記ウェイクアップチャンネル信号を送信するステップと、
前記加入者端末機は、前記スロットインデックス情報に該当する前記ウェイクアップチャンネルのウェイクアップインジケータが‘オフ’に設定されている場合に、前記スリーピングモードを維持するステップとをさらに具備することを特徴とする請求項１５記載の方法。
【請求項１８】
広帯域無線接続通信システムにおけるウェイクアップチャンネルを送信する装置であって、
スリーピングステートのスリーピングモードに存在する加入者端末機がウェイクアップされるかどうかを示すウェイクアップインジケータと、前記ウェイクアップインジケータが含まれるウェイクアップチャンネルのスーパーフレームを構成するフレームの個数と、前記ウェイクアップインジケータが前記スーパーフレーム内で送信される周期を示すフレーム周期を受信し、前記ウェイクアップチャンネルの送信フォーマットに従って、前記ウェイクアップインジケータのシンボルを反復するシンボル反復器と、
所定の制御に従うスロットインデックス情報と、前記ウェイクアップインジケータのオン／オフ設定情報を受信し、前記シンボル反復器から出力された信号で、前記スロットインデックス情報に相応するスロットに存在する前記ウェイクアップインジケータを前記オン／オフ設定情報に従って設定するウェイクアップチャンネル情報マッピング器と、
送信されるデータが存在するか、あるいは、システム情報が更新される場合に、前記データ、あるいは、前記システム情報を送信する加入者端末機を決定し、前記決定された加入者端末機がモニタリングしなければならないスロットインデックス情報と、前記スロットインデックス情報に相応するウェイクアップインジケータを‘オン’に設定しなければならないことを示す情報を前記ウェイクアップチャンネル情報マッピング器へ送信する制御器と
を具備することを特徴とする装置。
【請求項１９】
前記制御器は、
送信される前記データが存在せず、前記システム情報が更新されない場合に、前記ウェイクアップインジケータを‘オフ’に設定しなければならないことを示す情報を前記ウェイクアップチャンネル情報マッピング器へ出力することを特徴とする請求項１８記載の装置。
【請求項２０】
前記ウェイクアップチャンネル情報マッピング器から出力された信号をあらかじめ設定されているチャンネル利得と乗じるチャンネル利得乗算器をさらに具備することを特徴とする請求項１９記載の装置。
【請求項２１】
広帯域無線接続通信システムにおけるウェイクアップチャンネルを送信する方法であって、
スリーピングステートのスリーピングモードに存在する加入者端末機がウェイクアップされるかどうかを示すウェイクアップインジケータと、前記ウェイクアップインジケータが含まれるウェイクアップチャンネルのスーパーフレームを構成するフレームの個数と、前記ウェイクアップインジケータが前記スーパーフレーム内で送信される周期を示すフレーム周期を受信し、前記ウェイクアップチャンネルの送信フォーマットに従って、前記ウェイクアップインジケータのシンボルを反復するステップと、
送信されるデータが存在するか、あるいは、システム情報が更新される場合に、前記データ、あるいは、前記システム情報を送信する加入者端末機を決定し、前記決定された加入者端末機がモニタリングしなければならないスロットインデックス情報を決定するステップと、
前記決定されたスロットインデックス情報に相応するウェイクアップインジケータを‘オン’に設定して、前記ウェイクアップチャンネル信号を送信するステップと
を具備することを特徴とする方法。
【請求項２２】
送信される前記データが存在せず、前記システム情報が更新されない場合に、前記ウェイクアップインジケータを‘オフ’に設定して、前記ウェイクアップチャンネル信号を送信するステップをさらに具備することを特徴とする請求項２１記載の方法。
【請求項２３】
広帯域無線接続通信システムにおける媒体接続制御階層の動作状態を制御する方法であって、
初期化状態、あるいは、スリーピングステートで、基地局から受信されるデータが存在するか、あるいは、アクセスステートでコンテンションベース方式のアップリンクアクセスの遂行に従って、アップリンク帯域幅の割当てを受けた場合に、トラヒックステートのアクティブモードへ遷移するステップと、
前記アクティブモードで、前記基地局とデータを送受信する間に、あらかじめ設定された時間の間に、前記基地局とのデータの送受信が中断されると、ホールドモードへ遷移するステップと、
前記ホールドモードで、前記基地局のウェイクアップ要求が存在するか否かをモニタリングするために、あらかじめ設定されているチャンネル信号のみを受信し、前記モニタリングの結果、前記基地局のウェイクアップ要求が存在する場合にのみ、前記アクティブモードへ遷移し、あるいは、前記ホールドモードで、前記基地局へ送信されるデータが発生すると、高速のアクセスモードへ遷移するステップと、
前記高速のアクセスモードで、所定の制御に従ってあらかじめ設定されている非コンテンション方式のアップリンクアクセスのためのリソースを使用して、前記基地局に非コンテンション方式のアップリンクアクセスを遂行し、前記非コンテンション方式のアップリンクアクセス遂行の結果として、前記アップリンク帯域幅の割当てを受けた場合に、前記アクティブモードへ遷移するステップと
を具備することを特徴とする方法。
【請求項２４】
前記アクセスステートで、前記コンテンションベース方式のアップリンクアクセスを遂行する間に、前記非コンテンション方式のアップリンクアクセスのためのリソースの割当てを受けた場合に、前記トラヒックステートの前記高速のアクセスモードへ遷移するステップをさらに具備することを特徴とする請求項２３記載の方法。
【請求項２５】
前記非コンテンション方式のアップリンクアクセスのためのリソースは、
前記高速のアクセスモードで、前記非コンテンション方式のアップリンクアクセスを遂行する際に使用されるコード、あるいは、タイムスロットを含み、前記コンテンションベース方式のアップリンクアクセスを遂行する際に使用されたコード及びタイムスロットとは相互に異なることを特徴とする請求項２３記載の方法。
【請求項２６】
前記アクティブモードで、前記基地局と送受信されるデータのサービス品質のクラスが、あらかじめ設定された優先順位以上のサービス品質のクラスである場合に、前記あらかじめ設定された時間の間に、前記基地局とのデータの送受信が中断されても、前記アクティブモードをそのまま維持するステップをさらに具備することを特徴とする請求項２３記載の方法。
【請求項２７】
前記設定チャンネルは、ウェイクアップチャンネルを含むことを特徴とする請求項２３記載の方法。
【請求項２８】
広帯域無線接続通信システムにおけるトラヒックステートの動作状態を制御する方法であって、
加入者端末機は、アクティブモードで、前記基地局とデータを送受信する第１のステップと、
前記アクティブモードに存在する加入者端末機との前記データの送受信があらかじめ設定された時間の間に中断されると、前記基地局は、前記加入者端末機のモードを前記アクティブモードからホールドモードに変更しなければならないことを要求する第２のステップと、
前記加入者端末機は、前記第２のステップのモード変更要求に従う応答を前記基地局へ送信した後に、前記ホールドモードへ遷移して、前記基地局のウェイクアップ要求が存在するか否かをモニタリングするために、あらかじめ設定されているチャンネル信号のみを受信し、あらかじめ設定されている前記チャンネル信号をモニタリングした結果、前記基地局のウェイクアップ要求が存在する場合にのみ前記アクティブモードへ遷移し、あるいは、前記ホールドモードで、前記基地局へ送信されるデータが発生すると、高速のアクセスモードへ遷移する第３のステップと、
前記高速のアクセスモードで、前記加入者端末機は、所定の制御に従って、あらかじめ決定されている非コンテンション方式のアップリンクアクセスのためのリソースを使用して、前記加入者端末機のモードを前記高速のアクセスモードから前記アクティブモードに変更しなければならないことを要求する第４のステップと、
前記基地局は、前記第４のステップのモード変更要求に従う応答を前記加入者端末機へ送信して、前記加入者端末機が前記高速のアクセスモードからアクティブモードに変更して、前記基地局へ前記データを送信するように制御する第５のステップと
を具備することを特徴とする方法。
【請求項２９】
前記第２のステップは、
アクティブモードに存在する加入者端末機との前記データの送受信があらかじめ設定された時間の間に中断されると、前記基地局は、前記加入者端末機のモードを前記アクティブモードからホールドモードに変更しなければならないことを決定するステップと、
前記基地局は、前記モードの変更を決定した後に、前記加入者端末機が前記高速のアクセスモードで使用する前記非コンテンション方式のアップリンクアクセスのためのリソースを決定し、前記決定された非コンテンション方式のアップリンクアクセスのためのリソースを含んで、前記加入者端末機に、前記アクティブモードからホールドモードに変更しなければならないことを要求するステップとを具備することを特徴とする請求項２８記載の方法。
【請求項３０】
前記第４のステップは、
前記ホールドモードへ遷移する前に、アクティブモードで受信された非コンテンション方式のアップリンクアクセスのためのリソースを使用して、前記加入者端末機のモードを前記高速のアクセスモードから前記アクティブモードへ変更しなければならないことを要求することを特徴とする請求項２９記載の方法。
【請求項３１】
前記非コンテンション方式のアップリンクアクセスのためのリソースは、
前記高速のアクセスモードで、前記非コンテンション方式のアップリンクアクセスを遂行する際に使用されるコード及びタイムスロットを含むことを特徴とする請求項３０記載の方法。
【請求項３２】
前記設定チャンネルは、ウェイクアップチャンネルを含むことを特徴とする請求項２８記載の方法。
【請求項３３】
前記第２のステップのモード変更要求は、
ダウンリンクトラヒックチャンネルを介して送信され、前記第２のステップのモード変更要求に従う応答は、アップリンクトラヒックチャンネルを介して送信され、前記第４のステップのモード変更要求は、高速のアクセスチャンネルを介して送信され、前記第４のステップのモード変更要求に従う応答は、スケジューリングチャンネルを介して送信されることを特徴とする請求項２８記載の方法。
【請求項３４】
広帯域無線接続通信システムにおけるトラヒックステートの動作状態を制御する方法であって、
加入者端末機は、アクティブモードで、前記基地局とデータを送受信する間に、前記データの送受信があらかじめ設定された時間の間に中断されると、前記基地局に前記加入者端末機の自身のモードを前記アクティブモードからホールドモードに変更しなければならないことを要求する第１のステップと、
前記基地局は、前記第１のステップのモード変更要求に従う応答を前記加入者端末機へ送信して、前記加入者端末機が前記ホールドモードへ遷移するようにする第２のステップと、
前記ホールドモードに存在する加入者端末機へ送信されるデータが発生することを検出すると、前記基地局は、前記加入者端末機のモードを前記ホールドモードから前記アクティブモードに変更しなければならないことを要求する第３のステップと、
前記第３ステップのモード変更要求に従って、前記加入者端末機は、前記ホールドモードから前記アクティブモードへ遷移して、前記基地局から前記データを受信する第４のステップと
を具備することを特徴とする方法。
【請求項３５】
前記第３のステップのモード変更要求に従って、前記加入者端末機は、前記ホールドモードから前記アクティブモードへ遷移して、前記第３のステップのモード変更要求に従う応答を前記基地局へ送信する第５のステップをさらに具備することを特徴とする請求項３４記載の方法。
【請求項３６】
前記第２のステップは、
前記基地局が前記第１のステップのモード変更要求を検出し、前記加入者端末機が前記高速のアクセスモードで使用する非コンテンション方式のアップリンクアクセスのためのリソースを決定し、前記決定された非コンテンション方式のアップリンクアクセスのためのリソースを含んで、前記第１のステップのモード変更要求に従う応答を前記加入者端末機へ送信することを特徴とする請求項３５記載の方法。
【請求項３７】
前記第５のステップは、
前記加入者端末機が前記ホールドモードへ遷移する前に、アクティブモードで受信された非コンテンション方式のアップリンクアクセスのためのリソースを使用して、前記第３のステップのモード変更要求に従う応答を前記基地局へ送信することを特徴とする請求項３６記載の方法。
【請求項３８】
前記非コンテンション方式のアップリンクアクセスのためのリソースは、
前記高速のアクセスモードで前記非コンテンション方式のアップリンクアクセスを遂行する際に使用されるコード及びタイムスロットを含むことを特徴とする請求項３７記載の方法。
【請求項３９】
前記第１のステップのモード変更要求は、アップリンクトラヒックチャンネルを介して送信され、前記第１のステップのモード変更要求に従う応答は、ダウンリンクトラヒックチャンネルを介して送信され、前記第３のステップのモード変更要求は、ウェイクアップチャンネルを介して送信され、前記第３のステップのモード変更要求に従う応答は、高速のアクセスチャンネルを介して送信されることを特徴とする請求項３８記載の方法。
【発明の詳細な説明】
【技術分野】
【０００１】
本発明は、広帯域無線接続通信システムに関し、特に、媒体接続制御階層の動作状態を制御する装置及び方法に関する。
【背景技術】
【０００２】
次世代通信システムのうちの１つである第４世代（４ｔｈ  Ｇｅｎｅｒａｔｉｏｎ；以下、‘４Ｇ’と称する）通信システムにおいては、高速の送信速度で多様なサービス品質（Ｑｕａｌｉｔｙ  ｏｆ  Ｓｅｒｖｉｃｅ；以下、‘ＱｏＳ’と称する）を有するサービスを複数のユーザに提供するための活発な研究が進められている。一方、無線近距離通信ネットワーク（Ｌｏｃａｌ  Ａｒｅａ  Ｎｅｔｗｏｒｋ；以下、‘ＬＡＮ’と称する）システム及び無線都市地域ネットワーク（Ｍｅｔｒｏｐｏｌｉｔａｎ  Ａｒｅａ  Ｎｅｔｗｏｒｋ；以下、‘ＭＡＮ’と称する）システムは、一般に、２０Ｍｂｐｓ〜５０Ｍｂｐｓの送信速度を支援する。そして、現在、４Ｇ通信システムは、比較的高い送信速度を保証する無線ＬＡＮシステム及び無線ＭＡＮシステムに移動性及びＱｏＳを保証するシステムに発展している。
【０００３】
下記の説明において、図１を参照して、上記広帯域無線接続通信システムについて説明する。
【０００４】
図１は、一般的な広帯域無線接続通信システムの構成を概略的に示す図である。
【０００５】
図１を説明する前に、上記無線ＭＡＮシステムは、広帯域無線接続通信システムの一種であって、上記無線ＬＡＮシステムに比べてそのサービス領域（ｃｏｖｅｒａｇｅ）が広くて、さらに高速の送信速度を支援する。上記無線ＭＡＮシステムの物理チャンネル（Ｐｈｙｓｉｃａｌ  ｃｈａｎｎｅｌ）に広帯域（ｂｒｏａｄｂａｎｄ）送信網を支援するために、直交周波数分割多元（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；以下、‘ＯＦＤＭ’と称する）方式及び直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ；以下、‘ＯＦＤＭＡ’と称する）方式を適用したシステムが、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ａ通信システムである。上記ＩＥＥＥ８０２．１６ａ通信システムは、上記無線ＭＡＮシステムにＯＦＤＭ／ＯＦＤＭＡ方式を適用するので、複数の副搬送波（ｓｕｂ−ｃａｒｒｉｅｒ）を使用して物理チャンネル信号を送信し、これによって、高速のデータ送信を可能にする。一方、ＩＥＥＥ８０２．１６ｅ通信システムは、加入者端末機（ＡＴ；Ａｃｃｅｓｓ  Ｔｅｒｍｉｎａｌ）の移動性を可能にするために、上述したＩＥＥＥ８０２．１６ａ通信システムを付加することによってなされる。しかしながら、現在、ＩＥＥＥ８０２．１６e通信システムについては、具体的に規定されていない。
【０００６】
結果的に、ＩＥＥＥ８０２．１６ａ通信システム及びＩＥＥＥ８０２．１６ｅ通信システムのすべては、ＯＦＤＭ／ＯＦＤＭＡ方式を使用する広帯域無線接続通信システムであり、説明の便宜上、上記ＩＥＥＥ８０２．１６ａ通信システムを例に挙げて説明する。もちろん、ＩＥＥＥ８０２．１６ａ通信システム及びＩＥＥＥ８０２．１６e通信システムは、上記ＯＦＤＭ／ＯＦＤＭＡ方式又は単一キャリア（ｓｉｎｇｌｅ  ｃａｒｒｉｅｒ；ＳＣ）方式を使用することもできるが、下記の説明では、上記ＯＦＤＭ／ＯＦＤＭＡ方式のみを考慮して説明する。
【０００７】
図１を参照すると、ＩＥＥＥ８０２．１６ａ通信システムは、単一のセル（ｓｉｎｇｌｅ  ｃｅｌｌ）構成を有し、基地局（Ａｃｃｅｓｓ  Ｐｏｉｎｔ；ＡＰ）１００及び基地局１００が管理する複数の加入者端末機１１０、１２０、及び１３０から構成される。基地局１００と加入者端末機１１０、１２０、及び１３０との間の信号の送受信は、上記ＯＦＤＭ／ＯＦＤＭＡ方式を使用して行われる。
【０００８】
しかしながら、上記無線ＭＡＮシステムは、そのサービス領域が広く、高速の送信速度を支援するので、高速の通信サービスの支援に適合する。しかしながら、ユーザの移動性、すなわち、加入者端末機の移動性をまったく考慮しないシステムであるので、加入者端末機の高速の移動性に従うハンドオフ（ｈａｎｄｏｆｆ）も無線ＭＡＮシステムでまったく考慮されていない。従って、高速で移動する加入者端末機の電力消費（ｐｏｗｅｒ  ｃｏｎｓｕｍｐｔｉｏｎ）を最小化し、基地局と加入者端末機との間の高速のパケットデータ送信のための動作を支援するための媒体接続制御（Ｍｅｄｉｕｍ  Ａｃｃｅｓｓ  Ｃｏｎｔｒｏｌ：以下、‘ＭＡＣ’と称する）階層の具体的な動作方式が要求された。
【発明の開示】
【発明が解決しようとする課題】
【０００９】
上記背景に鑑みて、本発明の目的は、広帯域無線接続通信システムにおけるＭＡＣ階層の動作状態を制御する装置及び方法を提供することにある。
【００１０】
本発明の他の目的は、広帯域無線接続通信システムにおける加入者端末機の電力消費を最小化するように、ＭＡＣ階層の動作状態を制御する装置及び方法を提供することにある。
【００１１】
本発明のさらなる目的は、広帯域無線接続通信システムにおけるサービス等級に従うアップリンクアクセスを支援するように、ＭＡＣ階層の動作状態を制御する装置及び方法を提供することにある。
【００１２】
本発明のもう一つの目的は、広帯域無線接続通信システムにおける高速のアクセスを支援するように、ＭＡＣ階層の動作状態を制御する装置及び方法を提供することにある。
【課題を解決するための手段】
【００１３】
このような目的を達成するために、本発明の第１の特徴によれば、広帯域無線接続通信システムにおけるウェイクアップチャンネルを送信する装置は、スリーピングステートのスリーピングモードに存在する加入者端末機がウェイクアップされるかどうかを示すウェイクアップインジケータと、上記ウェイクアップインジケータが含まれるウェイクアップチャンネルのスーパーフレームを構成するフレームの個数と、上記ウェイクアップインジケータが上記スーパーフレーム内で送信される周期を示すフレーム周期を受信し、上記ウェイクアップチャンネルの送信フォーマットに従って、上記ウェイクアップインジケータのシンボルを反復するシンボル反復器と、所定の制御に従うスロットインデックス情報と、上記ウェイクアップインジケータのオン／オフ設定情報を受信し、上記シンボル反復器から出力された信号で、上記スロットインデックス情報に相応するスロットに存在する上記ウェイクアップインジケータを上記オン／オフ設定情報に従って設定するウェイクアップチャンネル情報マッピング器と、送信されるデータが存在するか、あるいは、システム情報が更新される場合に、上記データ、あるいは、上記システム情報を送信する加入者端末機を決定し、上記決定された加入者端末機がモニタリングしなければならないスロットインデックス情報と、上記スロットインデックス情報に相応するウェイクアップインジケータを‘オン’に設定しなければならないことを示す情報を上記ウェイクアップチャンネル情報マッピング器へ送信する制御器とを具備することを特徴とする。
【００１４】
本発明の第２の特徴によれば、広帯域無線接続通信システムにおける媒体接続制御階層の動作状態を制御する方法は、送信されるデータがアクセスステートで発生することを検出すると、コンテンションベース方式に従うアップリンクアクセスを遂行するのに必要なリソースを使用して、基地局にコンテンションベース方式のアップリンクアクセスを遂行するステップと、上記コンテンションベース方式のアップリンクアクセスに失敗する場合に、上記基地局から非コンテンション方式のアップリンクアクセスを遂行するのに必要なリソースを受信するステップと、上記非コンテンション方式のアップリンクアクセスを遂行するのに必要なリソースを受信する場合に、上記アクセスステートからトラヒックステートへの状態遷移を遂行し、上記トラヒックステートで、上記受信されたリソースを使用して、上記基地局に上記非コンテンション方式のアップリンクアクセスを遂行するステップとを具備することを特徴とする。
【００１５】
本発明の第３の特徴によれば、媒体接続制御階層がリセットに従う初期動作を遂行するヌルステートと、基地局との同期を獲得し、上記基地局へネットワーク進入動作を遂行する初期化状態と、上記基地局の制御により、あるいは、上記基地局へ送信されるデータが存在する場合に、ウェイクアップ動作を遂行するスリーピングステートと、上記基地局に非コンテンション方式のアップリンクアクセスを遂行するアクセスステートと、上記基地局とデータを送受信するトラヒックステートとを有する広帯域無線接続通信システムにおいて、上記媒体接続制御階層の動作状態を制御する方法は、上記基地局が、サービス品質のクラスのそれぞれに従って、上記コンテンションベース方式のアップリンクアクセスのためのコードを割り当て、非コンテンション方式のアップリンクアクセスのためのコードを割り当てるステップと、加入者端末機が、上記アクセスステートでアップリンクを介して送信されるデータが発生すると、送信される上記データのサービス品質のクラスに従って、上記割り当てられているコンテンションベース方式のアップリンクアクセスのためのコードのうちの任意の第１のコードを選択し、上記第１のコードを使用して、上記基地局に上記コンテンションベース方式のアップリンクアクセスを遂行するステップと、上記基地局が、上記加入者端末機が遂行したアップリンクアクセスに応じて、上記加入者端末機に上記加入者端末機のデータ送信のためのリソースの割当てに失敗すると、上記加入者端末機が非コンテンション方式のアップリンクアクセスを遂行することができるように、上記非コンテンション方式のアップリンクアクセスのためのコードのうちの任意の第２のコードを上記加入者端末機に割り当てるステップと、上記加入者端末機が上記第２のコードの割当を受けるに従って、上記アクセスステートから上記トラヒックステートへの状態遷移を遂行し、上記ステートで、上記第２のコードを使用して、上記基地局に上記非コンテンション方式のアップリンクアクセスを遂行するステップとを具備することを特徴とする。
【００１６】
本発明の第４の特徴によれば、広帯域無線接続通信システムにおける媒体接続制御階層の動作状態を制御する方法は、初期化状態のシステム検出モードで、加入者端末機の自身が属する基地局との同期を獲得した後に、ネットワーク進入モードへ遷移し、上記ネットワーク進入モードで、上記基地局とネットワーク進入動作を遂行するステップと、上記ネットワーク進入動作を遂行した後に、上記基地局と送受信されるデータが存在しないと、上記ネットワーク進入モードからスリーピングステートのスリーピングモードへ遷移し、あるいは、上記基地局へ送信されるデータが存在すると、上記ネットワーク進入モードからアクセスステートへ遷移し、あるいは、上記基地局から受信されるデータが存在すると、上記ネットワーク進入モードからトラヒックステートへ遷移するステップと、上記スリーピングモードで、上記基地局へ送信されるデータが存在するか、あるいは、上記基地局のウェイクアップの要求が存在すると、上記スリーピングステートのアウェイクモードへ遷移し、上記基地局へ送信されるデータが存在すると、上記アウェイクモードから上記アクセスステートへ遷移するステップと、上記アウェイクモードで、上記基地局からあらかじめ定められた情報を受信し、あらかじめ定められた上記情報に従って、上記アウェイクモードから上記スリーピングモードへ遷移するか、あるいは、上記アウェイクモードから上記トラヒックステートへ遷移するステップとを具備することを特徴とする。
【００１７】
本発明の第５の特徴によれば、広帯域無線接続通信システムにおける媒体接続制御階層の動作状態を制御する方法は、基地局は、加入者端末機との同期獲得のためのパイロットチャンネル信号と、上記広帯域無線接続通信システムのシステム情報を含むブロードキャストチャンネル信号を送信するステップと、加入者端末機は、初期化状態のシステム検出モードで、上記パイロットチャンネル信号を使用して、上記加入者端末機の自身が属している基地局との同期を獲得した後に、ネットワーク進入モードへ遷移するステップと、上記加入者端末機は、上記ネットワーク進入モードで上記ブロードキャストチャンネル信号を受信して、上記基地局へネットワーク進入要求メッセージを送信するステップと、上記基地局は、上記ネットワーク進入要求メッセージに応じて、上記加入者端末機がスリーピングステートのスリーピングモードでモニタリングしなければならないウェイクアップチャンネルのスロットインデックス情報を含むネットワーク進入応答メッセージを上記加入者端末機へ送信するステップと、上記加入者端末機は、上記ネットワーク進入応答メッセージを受信した後に、上記基地局と送受信されるデータが存在しないと、上記スリーピングモードへ遷移して、上記スロットインデックス情報に該当する上記ウェイクアップチャンネルのウェイクアップインジケータをモニタリングするステップとを具備することを特徴とする。
【００１８】
本発明の第６の特徴によれば、広帯域無線接続通信システムにおけるウェイクアップチャンネルを送信する方法は、スリーピングステートのスリーピングモードに存在する加入者端末機がウェイクアップされるかどうかを示すウェイクアップインジケータと、上記ウェイクアップインジケータが含まれるウェイクアップチャンネルのスーパーフレームを構成するフレームの個数と、上記ウェイクアップインジケータが上記スーパーフレーム内で送信される周期を示すフレーム周期を受信し、上記ウェイクアップチャンネルの送信フォーマットに従って、上記ウェイクアップインジケータのシンボルを反復するステップと、送信されるデータが存在するか、あるいは、システム情報が更新される場合に、上記データ、あるいは、上記システム情報を送信する加入者端末機を決定し、上記決定された加入者端末機がモニタリングしなければならないスロットインデックス情報を決定するステップと、上記決定されたスロットインデックス情報に相応するウェイクアップインジケータを‘オン’に設定して、上記ウェイクアップチャンネル信号を送信するステップとを具備することを特徴とする。
【００１９】
本発明の第７の特徴によれば、広帯域無線接続通信システムにおける媒体接続制御階層の動作状態を制御する方法は、初期化状態、あるいは、スリーピングステートで、基地局から受信されるデータが存在するか、あるいは、アクセスステートでコンテンションベース方式のアップリンクアクセスの遂行に従って、アップリンク帯域幅の割当てを受けた場合に、トラヒックステートのアクティブモードへ遷移するステップと、上記アクティブモードで、上記基地局とデータを送受信する間に、あらかじめ設定された時間の間に、上記基地局とのデータの送受信が中断されると、ホールドモードへ遷移するステップと、上記ホールドモードで、上記基地局のウェイクアップ要求が存在するか否かをモニタリングするために、あらかじめ設定されているチャンネル信号のみを受信し、上記モニタリングの結果、上記基地局のウェイクアップ要求が存在する場合にのみ、上記アクティブモードへ遷移し、あるいは、上記ホールドモードで、上記基地局へ送信されるデータが発生すると、高速のアクセスモードへ遷移するステップと、上記高速のアクセスモードで、所定の制御に従ってあらかじめ設定されている非コンテンション方式のアップリンクアクセスのためのリソースを使用して、上記基地局に非コンテンション方式のアップリンクアクセスを遂行し、上記非コンテンション方式のアップリンクアクセス遂行の結果として、上記アップリンク帯域幅の割当てを受けた場合に、上記アクティブモードへ遷移するステップとを具備することを特徴とする。
【００２０】
本発明の第８の特徴によれば、広帯域無線接続通信システムにおけるトラヒックステートの動作状態を制御する方法は、加入者端末機は、アクティブモードで、上記基地局とデータを送受信する第１のステップと、上記アクティブモードに存在する加入者端末機との上記データの送受信があらかじめ設定された時間の間に中断されると、上記基地局は、上記加入者端末機のモードを上記アクティブモードからホールドモードに変更しなければならないことを要求する第２のステップと、上記加入者端末機は、上記第２のステップのモード変更要求に従う応答を上記基地局へ送信した後に、上記ホールドモードへ遷移して、上記基地局のウェイクアップ要求が存在するか否かをモニタリングするために、あらかじめ設定されているチャンネル信号のみを受信し、あらかじめ設定されている上記チャンネル信号をモニタリングした結果、上記基地局のウェイクアップ要求が存在する場合にのみ上記アクティブモードへ遷移し、あるいは、上記ホールドモードで、上記基地局へ送信されるデータが発生すると、高速のアクセスモードへ遷移する第３のステップと、上記高速のアクセスモードで、上記加入者端末機は、所定の制御に従って、あらかじめ決定されている非コンテンション方式のアップリンクアクセスのためのリソースを使用して、上記加入者端末機のモードを上記高速のアクセスモードから上記アクティブモードに変更しなければならないことを要求する第４のステップと、上記基地局は、上記第４のステップのモード変更要求に従う応答を上記加入者端末機へ送信して、上記加入者端末機が上記高速のアクセスモードからアクティブモードに変更して、上記基地局へ上記データを送信するように制御する第５のステップとを具備することを特徴とする。
【００２１】
本発明の第９の特徴によれば、広帯域無線接続通信システムにおけるトラヒックステートの動作状態を制御する方法は、加入者端末機は、アクティブモードで、上記基地局とデータを送受信する間に、上記データの送受信があらかじめ設定された時間の間に中断されると、上記基地局へ上記加入者端末機の自身のモードを上記アクティブモードからホールドモードに変更しなければならないことを要求する第１のステップと、上記基地局は、上記第１のステップのモード変更要求に従う応答を上記加入者端末機へ送信して、上記加入者端末機が上記ホールドモードへ遷移するようにする第２のステップと、上記ホールドモードに存在する加入者端末機へ送信されるデータが発生することを検出すると、上記基地局は、上記加入者端末機のモードを上記ホールドモードから上記アクティブモードに変更しなければならないことを要求する第３のステップと、上記第３ステップのモード変更要求に従って、上記加入者端末機は、上記ホールドモードから上記アクティブモードへ遷移して、上記基地局からデータを受信する第４のステップとを具備することを特徴とする。
【発明の効果】
【００２２】
本発明は、広帯域無線接続通信システムに適合した新たなＭＡＣ階層の動作状態を提供することによって、加入者端末機の移動性及び高速のデータ送信の支援を可能にする。また、本発明は、広帯域無線接続通信システムに適合した新たなＭＡＣ階層の動作状態を提供することによって、加入者端末機の電力消費を最小化しつつも、高速のアクセスを可能にする。さらに、本発明は、広帯域無線接続通信システムに適合した新たなＭＡＣ階層の動作状態を提供することによって、一時的にデータの送受信が中止される場合に、電力消費を最小化しながらも、上記データの送受信が再開される場合に、高速のアクセスを遂行して、データの送信効率を最大にすることができる、という長所を有する。
【発明を実施するための最良の形態】
【００２３】
以下、本発明による広帯域無線接続通信システムにおける媒体接続制御（ＭＡＣ）階層の動作状態を制御するための装置及び方法の好ましい一実施例を添付図面を参照しつつ詳細に説明する。下記の説明において、本発明の要旨のみを明瞭にする目的で、関連した公知の機能又は構成に関する具体的な説明は省略する。
【００２４】
本発明は、広帯域無線接続通信システムにおけるＭＡＣ階層の動作状態（ｏｐｅｒａｔｉｏｎａｌ  ｓｔａｔｅ）を制御する方式を提案する。特に、本発明で提案するＭＡＣ階層の動作状態の制御方式は、加入者端末機（ＡＴ）の移動性を支援し、加入者端末機の電力消費を最小にしながらも、高速のアクセス（ｆａｓｔ  ａｃｃｅｓｓ）を可能にする。
【００２５】
まず、本発明は、ＭＡＣ階層の動作状態を支援するために、新たなダウンリンクチャンネル（ｄｏｗｎｌｉｎｋ  ｃｈａｎｎｅｌ）及び新たなアップリンクチャンネル（ｕｐｌｉｎｋ  ｃｈａｎｎｅｌ）を提案し、上記新たに提案されたダウンリンクチャンネル及びアップリンクチャンネルを表（１）を参照して説明する。
【００２６】
【表１】
2007504708.tif 000003
【００２７】
表（１）に示すダウンリンクチャンネルのそれぞれについて説明すると、次の通りである。
【００２８】
（１） パイロットチャンネル（以下、‘ＤＬ−ＰＩＣＨ’と称する）
上記ＤＬ−ＰＩＣＨは、セル区分（ｃｅｌｌ  ｉｄｅｎｔｉｆｉｃａｔｉｏｎ）及び基地局（Ａｃｃｅｓｓ  Ｐｏｉｎｔ；ＡＰ）と加入者端末機との間の同期獲得のためのチャンネルである。上記基地局は、複数のセルを管理することもでき、１個のセルのみを管理することもできるが、下記の説明では、１個の基地局が１個のセルのみを管理すると仮定する。従って、上記セル及び基地局の概念を混用して使用することに留意しなければならない。上記加入者端末機は、パワーオン（ｐｏｗｅｒ  ｏｎ）した後に、複数の基地局から送信されたＤＬ−ＰＩＣＨ信号を受信し、上記受信されたＤＬ−ＰＩＣＨ信号のうち、一番大きい大きさのＤＬ−ＰＩＣＨ信号、例えば、一番大きいキャリア対干渉雑音比（Ｃａｒｒｉｅｒ  ｔｏ  Ｉｎｔｅｒｆｅｒｅｎｃｅ  ａｎｄ  Ｎｏｉｓｅ  Ｒａｔｉｏ；以下、‘ＣＩＮＲ’と称する）を有するＤＬ−ＰＩＣＨ信号を送信する基地局を加入者端末機の自身が属した基地局として判断する。ダウンリンクチャンネルに関する下記の説明において、頭文字語‘ＤＬ’は、‘ダウンリンクチャンネル’を示すために共通的に使用されることに留意しなければならない。
【００２９】
（２） ブロードキャストチャンネル（ｂｒｏａｄｃａｓｔ  ｃｈａｎｎｅｌ；以下、‘ＤＬ−ＢＣＣＨ’と称する）
上記ＤＬ−ＢＣＣＨは、上記広帯域無線接続通信システムに関連したシステム構成（ｓｙｓｔｅｍ  ｃｏｎｆｉｇｕｒａｔｉｏｎ）情報と、周辺セル（ｎｅｉｇｈｂｏｒ  ｃｅｌｌ）情報と、ダウンリンク及びアップリンクチャンネル構成情報と、ダウンリンク及びアップリンクアクセス（ｕｐｌｉｎｋ  ａｃｃｅｓｓ）情報と、特定の加入者端末機に呼出しがあることを示す呼出し（ｐａｇｉｎｇ）情報と、加入者端末機がスリーピングステート（ＳＬＥＥＰＩＮＧ  ＳＴＡＴＥ）のスリーピングモード（ＳＬＥＥＰＩＮＧ  ＭＯＤＥ）からアウェイク（ＡＷＡＫＥ  ＭＯＤＥ）モードに遷移するためにモニタリングしなければならないウェイクアップチャンネル（ｗａｋｅ―ｕｐ  ｃｈａｎｎｅｌ；以下、‘ＤＬ−ＷＵＣＨ’と称する）のスロットインデックス（ｓｌｏｔ  ｉｎｄｅｘ）情報とが送信されるチャンネルである。
【００３０】
上記スリーピングモードは、上記加入者端末機が上記ＤＬ−ＷＵＣＨのみをモニタリングする方式にて、上記加入者端末機の自身に割り当てられたＤＬ−ＷＵＣＨのウェイクアップインジケータ（ｗａｋｅ―ｕｐ  ｉｎｄｉｃａｔｏｒ）がターンオンされる場合にのみ、上記ＤＬ−ＢＣＣＨをモニタリングして電力消費を最小化するモードを示し、上記アウェイクモードは、上記加入者端末機が上記基地局から送信されたＤＬ−ＢＣＣＨをモニタリングして、システム情報を更新するかどうか、あるいは、呼出し情報を受信するかどうかを確認することができるモードを示す。ここで、上記スリーピングモード及びアウェイクモードの具体的な動作は、本発明と直接的な関連がないので、その詳細な説明を省略する。上記基地局は、上記システム構成情報と、上記ダウンリンク及びアップリンクチャンネル構成情報と、上記ダウンリンク及びアップリンクアクセス情報とが変更された場合には、上記変更された情報を更新し、上記更新された情報を上記ＤＬ−ＢＣＣＨを介して加入者端末機へ周期的に送信する。また、上記アップリンクアクセスに対する応答も、上記ＤＬ−ＢＣＣＨを介して送信される。上記ＤＬ−ＢＣＣＨは、スーパーフレーム（ｓｕｐｅｒ  ｆｒａｍｅ）単位から構成され、スーパーフレーム単位で周期的に繰り返し送信される。ここで、上記スーパーフレームは、所定数のフレームを含む。
【００３１】
一方、上記基地局は、加入者端末機がスリーピングステートのスリーピングモードからアウェイクモードへモード遷移動作を遂行するためにモニタリングしなければならないＤＬ−ＷＵＣＨのスロットインデックスを決定する場合に、上記基地局が管理する加入者端末機のそれぞれに対しては、ＤＬ−ＷＵＣＨの特定のスロットインデックスを割り当て、上記加入者端末機が新たな基地局にハンドオフ（ｈａｎｄｏｆｆ）するまでは、上記割り当てられたＤＬ−ＷＵＣＨのスロットインデックスを維持する。上記基地局が割り当てることができるＤＬ−ＷＵＣＨのスロットインデックスの数は、上記ＤＬ−ＷＵＣＨの構成に基づいて変更されることができ、本発明は、上記ＤＬ−ＷＵＣＨの構成と直接的な関係がないので、ここでは、その詳細な説明を省略する。
【００３２】
（３） スケジューリングチャンネル（Ｄｏｗｎｌｉｎｋ―Ｕｐｌｉｎｋ  Ｓｃｈｅｄｕｌｉｎｇ  Ｃｈａｎｎｅｌ；以下、‘ＤＬ−ＵＳＣＣＨ’と称する）
上記ＤＬ−ＵＳＣＣＨは、アップリンクトラヒックチャンネル（ｕｐｌｉｎｋ  ｔｒａｆｆｉｃ  ｃｈａｎｎｅｌ；以下、‘ＵＬ−ＴＣＨ’と称する）の送信のためのスケジューリング情報と適応変調及び符号化（Ａｄａｐｔｉｖｅ  Ｍｏｄｕｌａｔｉｏｎ  ａｎｄ  Ｃｏｄｉｎｇ；以下、‘ＡＭＣ’と称する）方式のようなアップリンクに関する制御情報（ｃｏｎｔｒｏｌ  ｉｎｆｏｒｍａｔｉｏｎ）とを送信するチャンネルである。特に、上記ＤＬ−ＵＳＣＣＨを介しては、上記加入者端末機の帯域幅割当て要求（ｂａｎｄｗｉｄｔｈ  ａｌｌｏｃａｔｉｏｎ  ｒｅｑｕｅｓｔ）メッセージに応じた帯域幅割当て応答（ｂａｎｄｗｉｄｔｈ  ａｌｌｏｃａｔｉｏｎ  ｒｅｓｐｏｎｓｅ）メッセージが送信される。すなわち、上記加入者端末機は、アップリンクを介してトラヒックを送信しなければならない場合に、上記アップリンクトラヒックを送信するための帯域幅割当要求メッセージをアップリンクアクセスチャンネル（ｕｐｌｉｎｋ  ａｃｃｅｓｓ  ｃｈａｎｎｅｌ；以下、‘ＵＬ−ＡＣＨ’と称する）を介して基地局へ送信し、上記ＤＬ−ＵＳＣＣＨを介して上記基地局から上記帯域幅割当て要求メッセージに対する応答メッセージである帯域幅割当て応答メッセージが受信されるか否かをモニタリングする。上記ＤＬ−ＵＳＣＣＨを介して帯域幅割当て応答メッセージを受信する場合に、上記加入者端末機は、上記帯域幅割当て応答メッセージに含まれている制御情報に従ってアップリンクを介してトラヒックを送信する。
【００３３】
ここで、上記加入者端末機が基地局とのトラヒックを送信するための接続設定動作を遂行する場合に、上記基地局は、あらかじめ定められた規約が存在すると、上記加入者端末機がアップリンクを介して付加的な帯域幅割当て要求メッセージを送信しないとしても、あらかじめ定められた帯域幅を加入者端末機に継続して割り当てることができる。上記加入者端末機は、上記割り当てられた帯域幅を介してトラヒックデータを送信することもでき、ＵＬ−ＴＣＨを介して送信されるデータのための帯域幅割当て要求メッセージを非コンテンション（以下、‘ｃｏｎｔｅｎｔｉｏｎ―ｆｒｅｅ’と称する）方式にて送信することもできる。このとき、上記加入者端末機は、上記ＤＬ−ＵＳＣＣＨをモニタリングすることによって、上記アップリンクの割当て情報を確認することができる。また、上記加入者端末機は、上記ＵＬ−ＴＣＨを介して基地局へトラヒックデータを送信するために、基地局が遂行した帯域幅割当てに関する情報を確認するために、上記ＤＬ−ＵＳＣＣＨを継続してモニタリングしなければならない。
【００３４】
（４） トラヒックチャンネル（ｔｒａｆｆｉｃ  ｃｈａｎｎｅｌ；以下、‘ＤＬ−ＴＣＨ’と称する）
上記ＤＬ−ＴＣＨは、実際のパケットデータ（ｐａｃｋｅｔ  ｄａｔａ）を送信するチャンネルであり、送信されるパケットデータの特性に従って、次のような３種類の論理チャンネル（ｌｏｇｉｃａｌ  ｃｈａｎｎｅｌ）が上記ＤＬ−ＴＣＨにマッピングされることができる。
【００３５】
ａ．バーストトラヒックチャンネル（ｂｕｒｓｔ  ｔｒａｆｆｉｃ  ｃｈａｎｎｅｌ）
上記バーストトラヒックチャンネルは、バーストトラヒックを送信する論理チャンネルであって、上記バーストトラヒックチャンネルは、動的スケジューリング（ｄｙｎａｍｉｃ  ｓｃｈｅｄｕｌｉｎｇ）方式に基づくバースト基盤動的割当て（ｂｕｒｓｔ  ｂａｓｅｄ  ｄｙｎａｍｉｃ  ａｌｌｏｃａｔｉｏｎ）方式を提供する時間共有（ｔｉｍｅ  ｓｈａｒｅｄ）方式にて上記バーストトラヒックが送信される。ここで、下記表（２）を参照して、上記広帯域無線接続通信システムのサービスクラス（ｃｌａｓｓ）、すなわち、サービス品質（Ｑｕａｌｉｔｙ  ｏｆ  Ｓｅｒｖｉｃｅ；以下、‘ＱｏＳ’と称する）のクラスについて説明する。
【００３６】
【表２】
2007504708.tif 000004
【００３７】
上記バーストトラヒックチャンネルを介しては、実時間サービスデータがスケジューリングされて送信されるか、非実時間サービスデータが送信されるか、あるいは、最善試みサービス（Ｂｅｓｔ  Ｅｆｆｏｒｔ  Ｓｅｒｖｉｃｅ）データが送信される。
【００３８】
ｂ．専用トラヒックチャンネル（ｄｅｄｉｃａｔｅｄ  ｔｒａｆｆｉｃ  ｃｈａｎｎｅｌ）
上記専用トラヒックチャンネルは、固定された最小の帯域幅（ｍｉｎｉｍｕｍ  ｂａｎｄｗｉｄｔｈ）を割り当てるチャンネルであって、非要求保障サービス（以下、‘ＵＧＳ'と称する）データのように、最小の帯域幅を持続的に割り当てるデータが上記専用トラヒックチャンネルを介して送信される。
【００３９】
ｃ．シグナリングチャンネル（ｓｉｇｎａｌｉｎｇ  ｃｈａｎｎｅｌ）
上記シグナリングチャンネルは、制御情報であるシグナリングメッセージが送信されるチャンネルである。
【００４０】
（５） トラヒック制御チャンネル（ｔｒａｆｆｉｃ  ｃｏｎｔｒｏｌ  ｃｈａｎｎｅｌ；以下、‘ＤＬ−ＴＣＣＨ’と称する）
上記ＤＬ−ＴＣＣＨは、加入者端末機が上記ＤＬ−ＴＣＨを介して送信されたデータを効率的に処理するための制御情報、すなわち、上記ＤＬ−ＴＣＨに関連した制御情報を送信するチャンネルである。上記ＤＬ−ＴＣＣＨは、いつも上記ＤＬ−ＴＣＨに関連して送信される。ここで、上記ＤＬ−ＴＣＣＨを介して送信された制御情報は、上記ＤＬ−ＴＣＨを介して送信されたデータに適用されたＡＭＣ方式情報と、符号化されたパケットサイズ（Ｅｎｃｏｄｅｄ  Ｐａｃｋｅｔ  ｓｉｚｅ；以下、‘ＥＰ’と称する）情報のようなデータデコーディングに使用された情報と、ＭＡＣ制御メッセージ（ＭＡＣｃｏｎｔｒｏｌ  ｍｅｓｓａｇｅ）などを含む。また、上記基地局は、アップリンクを介して送信されたパケットデータに関連したＡＭＣ方式情報を上記ＤＬ−ＴＣＣＨを介して上記加入者端末機へフィードバック（ｆｅｅｄｂａｃｋ）することもできる。
【００４１】
（６） ウェイクアップチャンネル（Ｗａｋｅ  Ｕｐ  Ｃｈａｎｎｅｌ：以下、‘ＤＬ−ＷＵＣＨ’と称する）
上記ＤＬ−ＷＵＣＨは、加入者端末機の電力消費を最小化するためのチャンネルであって、上記スリーピングステートのスリーピングモードで加入者端末機がモニタリングするチャンネルである。上記ＤＬ−ＷＵＣＨの特定の部分には、ウェイクアップインジケータが存在し、上記加入者端末機は、上記ウェイクアップインジケータがターンオンされるか、あるいは、ターンオフされるかに従って、上記スリーピングモードからアウェイクモードへモード遷移動作を遂行する。ここで、上記ウェイクアップインジケータがターンオンされるということは、上記ウェイクアップインジケータの値が第１の値、例えば、‘１’に設定されていることを示し、これとは反対に、上記ウェイクアップインジケータがターンオフされるということは、上記ウェイクアップインジケータの値が第２の値、例えば、‘０’に設定されていることを示す。また、上記ＤＬ−ＷＵＣＨは、上記ＤＬ−ＢＣＣＨのようにスーパーフレーム単位で送信される。
【００４２】
本発明で提案したダウンリンクチャンネルを表（２）を参照して説明した。次に、本発明で提案するアップリンクチャンネルを表（３）を参照して説明する。
【００４３】
【表３】
2007504708.tif 000005
【００４４】
表（３）に示すアップリンクチャンネルのそれぞれについて説明すると、次の通りである。
【００４５】
（１） アクセスチャンネル（ａｃｃｅｓｓ  ｃｈａｎｎｅｌ；以下、‘ＵＬ−ＡＣＨ’と称する）
上記ＵＬ−ＡＣＨは、加入者端末機がアップリンクを介してデータを送信するために、すなわち、アップリンクアクセスのために、帯域幅割当てを要求するための帯域幅割当て要求信号を送信するために使用されるチャンネルである。上記加入者端末機の等級、あるいは、上記アップリンクを介して送信されるデータの特性に従って、次のような２種類の論理チャンネルが上記ＵＬ−ＡＣＨにマッピングされることができる。
【００４６】
ａ．アクセスチャンネル（ａｃｃｅｓｓ  ｃｈａｎｎｅｌ）
上記アクセスチャンネルは、コンテンション基盤（以下、‘’ｃｏｎｔｅｎｔｉｏｎ−ｂａｓｅｄ’と称する）方式のアップリンクアクセスのためのチャンネルであって、上記加入者端末機がネットワークを進入するか、あるいは、帯域幅割当てを要求する場合に使用される。上記アクセスチャンネルを介しては、ＴＣＰ（Ｔｒａｎｓｍｉｓｓｉｏｎ  Ｃｏｎｔｒｏｌ  Ｐｒｏｔｏｃｏｌ）ＡＣＫ／ＮＡＣＫ信号のように、非常に短い長さのデータがアップリンクアクセス要求信号と共に送信されることができる（アクセスプリアンブル＋パケットデータ）。
【００４７】
ｂ．高速のアクセスチャンネル（ｆａｓｔ  ａｃｃｅｓｓ  ｃｈａｎｎｅｌ）
上記高速のアクセスチャンネルは、コンテンションベース方式のアップリンクアクセスのためのチャンネルである。アップリンクアクセスに使用される擬似雑音（Ｐｓｅｕｄｏ―ｒａｎｄｏｍ  Ｎｏｉｓｅ；ＰＮ）符号のような直交符号又はタイムスロット位置（ｔｉｍｅ  ｓｌｏｔ  ｐｏｓｉｔｉｏｎ）は、基地局から加入者端末機に割り当てられる。すると、上記加入者端末機は、上記基地局から割り当てられた直交符号又はタイムスロット位置を使用して、上記高速のアクセスチャンネルを介して上記アップリンクアクセスを遂行する。下記の説明において、上記ＵＬ−ＦＡＣＣＨを介したアップリンクアクセス、すなわち、高速のアクセスに使用されるＰＮ符号を‘高速のアクセスＰＮ符号’と称し、上記高速のアクセスに使用されたタイムスロットを‘高速のアクセスタイムスロット’と称する。上記高速のアクセスＰＮ符号及び高速のアクセスタイムスロットについては、下記で詳細に説明する。
【００４８】
（２） トラヒックチャンネル（以下、‘ＵＬ−ＴＣＨ’と称する）
上記ＵＬ−ＴＣＨは、加入者端末機が基地局へデータを送信する場合に使用されるチャンネルである。上記ＵＬ−ＴＣＨを介して送信されたデータの特性に従って、次のような３種類の論理チャンネルは、上述したようなＵＬ−ＴＣＨにマッピングされることができる。ここで、上記トラヒックチャンネルは、上述したように、上記ダウンリンクチャンネルにも含まれる。説明の便宜上、アップリンクのトラヒックチャンネルを‘ＵＬ−ＴＣＨ’と称する。
【００４９】
ａ． バーストトラヒックチャンネル
上記バーストトラヒックチャンネルは、上記ＤＬ−ＴＣＨにマッピングされたバーストトラヒックチャンネルとは実質的に同一の機能を有し、ただ、上記ＤＬ−ＴＣＨではなく、上記ＵＬ−ＴＣＨにマッピングされる点でのみ異なるので、ここでは、その詳細な説明を省略する。
【００５０】
ｂ． 専用トラヒックチャンネル
上記専用トラヒックチャンネルは、上記ＤＬ−ＴＣＨにマッピングされた専用トラヒックチャンネルとは実質的に同一の機能を有し、ただ、上記ＤＬ−ＴＣＨではなく、上記ＵＬ−ＴＣＨにマッピングされる点でのみ異なるので、ここでは、その詳細な説明を省略する。
【００５１】
ｃ． シグナリングチャンネル
上記シグナリングチャンネルは、上記ＤＬ−ＴＣＨにマッピングされるシグナリングチャンネルと実質的に同一の機能を有し、ただ、上記ＤＬ−ＴＣＨではなく、上記ＵＬ−ＴＣＨにマッピングされる点でのみ異なるので、ここでは、その詳細な説明を省略する。
【００５２】
ここで、図２を参照して、表（１）及び表（３）で説明したような本発明で、新たに提案したダウンリンク及びアップリンクチャンネルを使用して、実際の動作を遂行するＭＡＣ動作状態について説明する。
【００５３】
図２は、本発明の実施形態による広帯域無線接続通信システムにおけるＭＡＣ階層が支援した動作状態を概略的に示す状態図である。
【００５４】
図２を参照すると、本発明で提案する広帯域無線接続通信システムのＭＡＣ階層は、ヌルステート（ＮＵＬＬ  ＳＴＡＴＥ）２１１と、初期化状態（ＩＮＩＴＩＡＬＩＺＡＴＩＯＮ  ＳＴＡＴＥ）２１３と、スリーピングステート（ＳＬＥＥＰＩＮＧ  ＳＴＡＴＥ）２１５と、アクセスステート（ＡＣＣＥＳＳ  ＳＴＡＴＥ）２１７と、トラヒックステート（ＴＲＡＦＦＩＣ  ＳＴＡＴＥ）２１９との５種類の動作状態を支援する。本発明で提案するＭＡＣ階層の動作状態は、加入者端末機（ＡＴ）の移動性を支援し、加入者端末機の電力消費を最小化しながらも、高速のアクセスを可能にする。
【００５５】
ここで、上記ＭＡＣ階層の動作状態のそれぞれについて説明する。
【００５６】
一番目に、ヌルステート２１１について説明する。ヌルステート２１１は、加入者端末機がパワーオン（ｐｏｗｅｒ  ｏｎ）される場合に、あるいは、上記加入者端末機が異常な動作によってリセット（ｒｅｓｅｔ）される場合に、初期動作を遂行する状態である。また、初期化状態２１３と、スリーピングステート２１５と、アクセスステート２１７と、トラヒックステート２１９からヌルステート２１１への状態遷移が遂行されることができる。上述したように、上記加入者端末機のパワーオン、あるいは、リセットに従う初期動作を正常に遂行する場合に、上記加入者端末機は、ヌルステート２１１から初期化状態２１３への状態遷移を遂行する。
【００５７】
二番目に、初期化状態２１３について説明する。初期化状態２１３で、上記加入者端末機が上記パワーオン、あるいは、リセットに従う初期動作が正常に完了される場合に、上記加入者端末機は、上記基地局との同期獲得動作を遂行する。基地局との同期獲得動作を遂行するために、上記加入者端末機は、上記加入者端末機にあらかじめ設定されているすべての周波数帯域をモニタリングして、一番大きい強度、すなわち、一番大きいＣＩＮＲを有するＤＬ−ＰＩＣＨ信号を検出する。ここで、上記加入者端末機が上記加入者端末機の自身が存在するセル、すなわち、既存の基地局から新たなセル、すなわち、ターゲット（ｔａｒｇｅｔ）基地局へハンドオフする場合に、上記加入者端末機も、初期化状態２１３でターゲット基地局との同期獲得動作を遂行する。上記広帯域無線接続通信システムの代表的なシステムであるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ａ通信システムは、上記加入者端末機の移動性を考慮しないので、上記加入者端末機がパワーオン、あるいは、リセットされる場合のみを考慮すればよい。一方、ＩＥＥＥ８０２．１６ｅ通信システムのような上記加入者端末機の移動性を考慮する広帯域無線接続通信システムは、上記加入者端末機の移動性を考慮するので、上記加入者端末機がパワーオン、あるいは、リセットされる場合だけでなく、上記加入者端末機がハンドオフする場合まで考慮しなければならない。従って、本発明の装置及び方法は、上記加入者端末機がパワーオン、あるいは、リセットされる場合だけではなく、上記加入者端末機がハンドオフする場合まですべて考慮する。すなわち、上記加入者端末機は、ハンドオフ状況まで考慮するので、現在属している基地局から送信されたＤＬ−ＰＩＣＨ信号のＣＩＮＲよりも大きいＣＩＮＲを有するＤＬ−ＰＩＣＨ信号を送信する基地局が存在するかどうかを継続してモニタリングしなければならず、継続的なモニタリング動作中に、現在属している基地局から送信されたＤＬ−ＰＩＣＨ信号のＣＩＮＲよりも大きいＣＩＮＲを有するＤＬ−ＰＩＣＨ信号を送信する基地局が存在する場合に、上記加入者端末機は、セル再選択（ｃｅｌｌ  ｒｅｓｅｌｅｃｔｉｏｎ  ｏｐｅｒａｔｉｏｎ）動作を遂行する。
【００５８】
このように、基地局との同期を獲得した加入者端末機は、上記基地局から送信されたＤＬ−ＢＣＣＨ信号を受信して、システム情報（Ｓｙｓｔｅｍ  Ｉｎｆｏｒｍａｔｉｏｎ；ＳＩ）を受信する。次に、上記加入者端末機は、上記基地局に登録（ｒｅｇｉｓｔｒａｔｉｏｎ）及び認証（ａｕｔｈｅｎｔｉｃａｔｉｏｎ）のためのネットワーク進入動作を遂行して、上記基地局との正常のパケットデータを送受信するための動作を遂行した後に、スリーピングステート２１５、アクセスステート２１７、あるいは、トラヒックステート２１９への状態遷移を遂行する。ここで、上記システム情報は、システム構成情報と、周辺基地局情報と、ダウンリンク及びアップリンクチャンネル構成情報と、ダウンリンク及びアップリンクアクセス情報とを含む。
【００５９】
一方、初期化状態２１３で、システムエラー（ｓｙｓｔｅｍ  ｅｒｒｏｒ）のような問題により、上記加入者端末機が上記基地局との同期を損失する場合に、上記加入者端末機は、初期化状態２１３からヌルステート２１１への状態遷移を遂行し、これによって、初期動作をさらに遂行しなければならない。すなわち、上記加入者端末機がシステムエラーのような問題によってリセットされる場合に、上記加入者端末機は、ヌルステート２１１で、さらに新たな動作を開始しなければならない。また、上記加入者端末機が上記基地局との登録及び認証のためのネットワーク進入動作を遂行した後に、上記加入者端末機から上記基地局へ送信されたデータが存在するか否かを示す呼出し情報を受信する場合に、上記加入者端末機は、初期化状態２１３からトラヒックステート２１９への状態遷移を遂行する。
【００６０】
初期化状態２１３で遂行される加入者端末機の動作を整理すると、次の通りである。
（１） ＤＬ−ＰＩＣＨモニタリング及び基地局との同期獲得動作
（２） ＤＬ−ＢＣＣＨモニタリング動作
システム構成情報と、周辺基地局情報と、ダウンリンク及びアップリンクチャンネル構成情報と、ダウンリンク及びアップリンクアクセス情報と、加入者端末機に呼出しがあることを示す呼出し情報と、加入者端末機がスリーピングモードからアウェイクモードへのモード遷移動作を遂行するためにモニタリングしなければならないＤＬ−ＷＵＣＨのスロットインデックス情報との受信
（３） 基地局との登録及び認証のためのネットワーク進入動作
上記ネットワーク進入動作で、上記加入者端末機は、上記基地局にアップリンクアクセスを遂行する場合に上記ＵＬ−ＡＣＨを使用する。上記ＵＬ−ＡＣＨを介して送信されたネットワーク進入動作に関連したアップリンクアクセスに対する応答信号は、上記ＤＬ−ＢＣＣＨを介して受信される。
【００６１】
三番目に、スリーピングステート２１５について説明する。
【００６２】
上記加入者端末機が初期化状態２１３からスリーピングステート２１５への状態遷移を遂行する場合には、初期化状態２１３で、ネットワーク進入動作を遂行した後に、基地局と送受信されるデータが存在しない場合に発生する。すなわち、上記加入者端末機が初期化状態２１３でネットワーク進入動作を遂行した後に、基地局と送受信されるデータが存在しない場合に、上記加入者端末機は、電力消費を最小化するために、スリーピングステート２１５への状態遷移を遂行する。
【００６３】
スリーピングステート２１５で、上記加入者端末機は、上記基地局の制御に従ってウェイクアップ（ｗａｋｅ―ｕｐ）し、上記基地局は、ＤＬ−ＷＵＣＨのウェイクアップインジケータを介して、上記加入者端末機がウェイクアップされるか否かを上記加入者端末機へ通知する。すなわち、上記ＤＬ−ＷＵＣＨのウェイクアップインジケータがターンオンされる場合に、上記加入者端末機は、ウェイクアップする。また、加入者端末機は、上記ＤＬ−ＷＵＣＨのインジケータが挿入される位置の特定のスロットインデックスを上記ＤＬ−ＢＣＣＨを介して初期化状態２１３で認識することができる。上述したように、１つの基地局は、上記ＤＬ−ＷＵＣＨのインジケータが挿入される位置の特定のスロットインデックスを上記加入者端末機のそれぞれに割り当て、割り当てられた上記ＤＬ−ＷＵＣＨのスロットインデックスは、上記加入者端末機が新たな基地局へハンドオフするときまで維持される。スリーピングステート２１５で、上記加入者端末機は、電力消費を最小化するために、上記ＤＬ−ＢＣＣＨを継続してモニタリングせず、上記ＤＬ−ＷＵＣＨのみをモニタリングする。すると、上記加入者端末機は、上記ＤＬ−ＷＵＣＨのウェイクアップインジケータがターンオンされる場合にのみ上記ＤＬ−ＢＣＣＨをモニタリングするためにウェイクアップし、これによって、電力消費を最小化する。また、上記加入者端末機が上記ＤＬ−ＢＣＣＨをモニタリングする場合には、上記加入者端末機は、上記ＤＬ−ＷＵＣＨをモニタリングしない。
【００６４】
また、上記加入者端末機は、スリーピングステート２１５で、上記ＤＬ−ＢＣＣＨをモニタリングする間に、上記加入者端末機によって受信される呼出しがあることを示す情報を受信すると、スリーピングステート２１５からトラヒックステート２１９への状態遷移を遂行して、上記基地局からデータを受信する。一方、スリーピングステート２１５で、システムエラーのような問題によって上記基地局との同期を損失する場合に、上記加入者端末機は、スリーピングステート２１５からヌルステート２１１への状態遷移を遂行して、初期動作をさらに遂行しなければならない。すなわち、上記加入者端末機がシステムエラーのような問題によってリセットされる場合に、上記加入者端末機は、ヌルステート２１１で新たな動作をさらに開始する必要がある。
【００６５】
四番目に、アクセスステート２１７について説明する。
【００６６】
上記加入者端末機が初期化状態２１３からアクセスステート２１７への状態遷移を遂行する場合には、初期化状態２１３でネットワーク進入動作を遂行した後に、基地局と送受信されるデータが存在する場合に発生する。すなわち、初期化状態２１３で、ネットワーク進入動作を遂行した後に、基地局と送受信されるデータが存在する場合に、上記加入者端末機は、上記基地局にアクセスするために、アクセスステート２１７への状態遷移を遂行する。
【００６７】
アクセスステート２１７で、上記加入者端末機は、上記基地局とのアクセス動作を遂行する。ここで、アクセスステート２１７で遂行される基地局へのアクセスは、基本的にコンテンションベース方式にて遂行される。上記加入者端末機は、上記基地局へデータ、すなわち、トラヒックを送信するために、上記基地局に帯域幅割当てを要請する。上記コンテンションベース方式の基地局へのアクセス、すなわち、アップリンクアクセスは、上記ＵＬ−ＡＣＨを使用して遂行される。
【００６８】
本発明の実施形態において、上記基地局は、帯域幅割当て要求に応じて、上記トラヒックのＱｏＳによってアップリンクアクセスに相互に異なるＰＮ符号の数を割り当てる。ここで、上記ＰＮ符号の各々は、直交性を有する。上記広帯域無線接続通信システムにおいて、上記ＰＮ符号は、あらかじめ設定された長さ、例えば、‘２１５−１’ビットの長さを有するＰＮシーケンスをあらかじめ設定された単位でセグメンテーションして生成される。上記のように構成されたＰＮ符号の個数がＰ個であると仮定する場合に、上記Ｐ個のＰＮ符号のうち、あらかじめ設定されたＫ個のＰＮ符号は、上記ＵＧＳデータ送信のための帯域幅割当て要求に使用されるように割り当てられ、あらかじめ設定されたＬ個のＰＮ符号は、上記実時間サービスデータ送信のための帯域幅割当て要求に使用されるように割り当てられ、あらかじめ設定されたＭ個のＰＮ符号は、上記非実時間サービスデータ送信のための帯域幅割当て要求に使用されるように割り当てられ、あらかじめ設定されたＮ個のＰＮ符号は、上記最善試みデータの送信のための帯域幅割当て要求に使用されるように割り当てられ、あらかじめ設定されたＳ個のＰＮ符号は、高速のアクセスに使用されるように割り当てられる。ここで、上記高速のアクセスのために割り当てられたＰＮ符号を‘高速のアクセスＰＮ符号’と称し、上記Ｐ、Ｋ、Ｌ、Ｍ 、Ｎ、Ｓの関係は、式（１）のように示すことができる。
【００６９】
【数１】
2007504708.tif 000006
【００７０】
例えば、上記広帯域無線接続通信システムにおいて、上記帯域幅割当て要求のために使用されることができるＰＮ符号の個数が４８個であると仮定する。すると、上記基地局は、上記４８個のＰＮ符号のうち１７個のＰＮ符号を上記ＵＧＳデータの送信のための帯域幅割当て要求に使用されるように割り当て、残りのＰＮ符号のうち１３個のＰＮ符号を上記実時間サービスデータの送信のための帯域幅割当て要求に使用されるように割り当て、残りのＰＮ符号のうち７個のＰＮ符号を上記非実時間サービスデータの送信のための帯域幅割当て要求に使用されるように割り当て、残りのＰＮ符号のうち４個のＰＮ符号を上記最善試みデータの送信のための帯域幅割当て要求に使用されるように割り当て、残りのＰＮ符号を上記高速のアクセスＰＮ符号として使用されるように割り当てる。
【００７１】
すなわち、上記基地局は、優先順位が低いＱｏＳクラスに比べて、優先順位が高いＱｏＳクラスを有するアップリンクデータのための帯域幅割当て要求にさらに多くのＰＮ符号を割り当て、これによって、ＱｏＳクラスの優先順位が高いデータであるほど、コンテンションベース方式のアクセスで優位を占める。すると、高速のアクセスが可能であり、従って、上記加入者端末機がアップリンクアクセスを遂行する場合に、上記加入者端末機の電力消費も最小化することができる。上記では、上記基地局が高速のアクセスのための高速のアクセスＰＮ符号を割り当てる場合を説明したが、上記基地局は、上記高速のアクセスのために、別途の高速のアクセスタイムスロットを割り当てることもできる。上記高速のアクセス、上記高速のアクセスＰＮ符号、及び上記高速のアクセスタイムスロットについては、下記で詳細に説明する。
【００７２】
結果的に、上記加入者端末機は、上記ＵＬ−ＡＣＨを介して上記帯域幅割当て要求メッセージを送信することによって、上記アップリンクアクセスを試みる。上記帯域幅割当て要求メッセージを送信する場合に、上記加入者端末機は、送信されるデータのＱｏＳに従って割り当てられているＰＮ符号のみを使用することによって、上記ＱｏＳに従ってアクセスの優先順位が差別的に提供されるようにする。この場合に、上記基地局は、上記帯域幅割当て要求メッセージに適用されたＰＮ符号がどんなＱｏＳクラスに該当するかを判断することができる。上記基地局は、上記高速のアクセスＰＮ符号を上記ＱｏＳクラスのうち高い優先順位を有するＱｏＳクラス、例えば、ＵＧＳ及び実時間サービスにのみ割り当てる。すなわち、比較的低い優先順位を有するＱｏＳクラスに該当するデータは、割り当てられるアップリンク帯域幅が存在しない場合に、上記アップリンクアクセスの自体を失敗するように処理して、正常のアップリンク再遂行過程、すなわち、コンテンションベース方式のアップリンクアクセスを再遂行するようにする。一方、比較的高い優先順位を有するＱｏＳクラスに該当するデータは、割り当てられるアップリンク帯域幅が存在しない場合に、上記高速のアクセスＰＮ符号情報を含むことによって、上記アップリンクアクセスに成功するように処理し、ただ、上記加入者端末機は、トラヒックステート２１９への状態遷移を遂行し、割り当てられるアップリンク帯域幅が存在する場合に、実際のデータは、後に送信される。この場合に、上述したように、上記高速のアクセスＰＮ符号の代わりに、高速のアクセスタイムスロットを使用することもできる。
【００７３】
上記加入者端末機の帯域幅割当て要請に従って、上記基地局は、現在有用な帯域幅が存在する場合に、上記加入者端末機が使用する帯域幅を割り当て、上記割り当てられた帯域幅情報を上記加入者端末機に通知する。もちろん、上述したように、割り当てられる帯域幅はないが、優先順位が高いＱｏＳクラスに該当するデータに対する帯域幅割当てが要求される場合には、上記基地局は、高速のアクセスＰＮ符号情報を上記加入者端末機に通知しなければならない。ここで、上記基地局は、上記割り当てられた帯域幅情報、あるいは、高速のアクセスＰＮ符号情報をＤＬ−ＵＳＣＣＨを介して上記加入者端末機へ送信する。
【００７４】
上記帯域幅が割り当てられることを感知した加入者端末機は、アクセスステート２１７からトラヒックステート２１９への状態遷移を遂行する。一方、上記帯域幅の要求にもかかわらず、上記加入者端末機が上記基地局から帯域幅割当てを受信することができない場合に、すなわち、上記加入者端末機が上記基地局へのアクセスに失敗する場合に、上記加入者端末機は、アクセスステート２１７からスリーピングステート２１５への状態遷移を遂行する。ここで、上記帯域幅の割当てが失敗する場合に、上記加入者端末機は、帯域幅割当てを再要求することもでき、上記帯域幅割当てがあらかじめ設定された時間内に成功することができない場合にのみ、アクセスステート２１７からスリーピングステート２１５への状態遷移を遂行する。もちろん、上記加入者端末機が上記基地局へのアクセスに失敗する場合だけでなく、上記データ送信を取り消す場合も、上記加入者端末機は、アクセスステート２１７からスリーピングステート２１５への状態遷移を遂行する。
【００７５】
ここで、上記加入者端末機がアクセスステート２１７からスリーピングステート２１５への状態遷移を遂行する場合に、上記加入者端末機は、スリーピングステート２１５で、以前にモニタリングされたＤＬ−ＷＵＣＨのスロットインデックスと同一のスロットインデックスでＤＬ−ＷＵＣＨインジケータをモニタリングする。しかしながら、上記加入者端末機がアクセスステート２１７からスリーピングステート２１５への状態遷移を遂行する場合に、上記加入者端末機は、上記ＤＬ−ＷＵＣＨをモニタリングせず、ＤＬ−ＢＣＣＨのみをモニタリングすることもできる。
【００７６】
一方、アクセスステート２１７で、上記加入者端末機がアップリンクアクセスを遂行する間に、システムエラーのような問題によって、上記基地局との同期を損失する場合に、上記加入者端末機は、アクセスステート２１７からヌルステート２１１への状態遷移を遂行して、初期動作をさらに遂行しなければならない。すなわち、上記加入者端末機がシステムエラーのような問題によってリセットされる場合に、上記加入者端末機は、ヌルステート２１１で、新たな動作をさらに開始する必要がある。
【００７７】
五番目に、トラヒックステート２１９について説明する。
【００７８】
トラヒックステート２１９で、上記加入者端末機は、基地局とデータを送受信する。また、トラヒックステート２１９で、上記加入者端末機が上記基地局と実際のデータを直接送受信しないとしても、上記加入者端末機は、データの送受信のためのリソースが割り当てられる。すなわち、トラヒックステート２１９で、上記加入者端末機と基地局との間で送受信される実際のデータが存在しないとしても、データの送受信のためのリソースが割り当てられるので、今後に送受信されるデータが発生する場合に、上記加入者端末機は、上記基地局への迅速なアクセスが可能であり、また、上記データの正常的な送受信が可能である。上記高速のアクセスＰＮ符号、あるいは、高速のアクセスタイムスロットを使用するアップリンクアクセスは、トラヒックステート２１９で遂行される。
【００７９】
一方、トラヒックステート２１９で、上記加入者端末機が、上記基地局と送受信されるデータがこれ以上存在しないか、あるいは、上記加入者端末機の自身の電力消費を減少させる必要性がある場合には、上記加入者端末機は、トラヒックステート２１９からスリーピングステート２１５への状態遷移を遂行する。また、トラヒックステート２１９で、上記加入者端末機が上記基地局とデータを送受信する間に、システムエラーのような問題により、上記基地局との同期を損失する場合に、上記加入者端末機は、トラヒックステート２１９からヌルステート２１１への状態遷移を遂行して、初期動作をさらに遂行しなければならない。すなわち、上記加入者端末機がシステムエラーのような問題によってリセットされる場合に、上記加入者端末機は、ヌルステート２１１で新たな動作をさらに開始する必要がある。
【００８０】
図２を参照して、本発明で提案したＭＡＣ動作状態について説明した。以下、図３を参照して初期化状態２１３について説明する。
【００８１】
図３は、図２に示した初期化状態２１３の動作モードを概略的に示す図である。
【００８２】
図３を参照すると、まず、初期化状態２１３は、システム検出モード（ｓｙｓｔｅｍ  ｄｅｔｅｃｔｉｎｇ  ｍｏｄｅ）３００及びネットワーク進入モード（ｎｅｔｗｏｒｋ  ｅｎｔｒｙ  ｍｏｄｅ）３５０の２種類の動作モードを備える。図２を参照して説明するように、上記加入者端末機がパワーオン、あるいは、リセットに従う初期動作を正常的に遂行する場合に、上記加入者端末機は、ヌルステート２１１から初期化状態２１３への状態遷移を遂行する（ステップ３１１）。また、初期化状態２１３で、上記加入者端末機がシステムエラーのような問題によって、上記基地局との同期を損失する場合に、上記加入者端末機は、初期化状態２１３からヌルステート２１１への状態遷移を遂行し、これによって、初期動作をさらに遂行する（ステップ３１３）。一方、上記加入者端末機がヌルステート２１１から初期化状態２１３への状態遷移を遂行する場合に、上記加入者端末機は、初期化状態２１３のシステム検出モード３００へ進入する。システム検出モード３００について説明すると、次の通りである。
【００８３】
システム検出モード３００で、上記加入者端末機は、複数の基地局から送信されたＤＬ−ＰＩＣＨ信号を受信し、上記受信されたＤＬ−ＰＩＣＨ信号のうち、一番大きい大きさ、すなわち、一番大きいＣＩＮＲを有するＤＬ−ＰＩＣＨ信号を検出する。このような状態で、上記加入者端末機の自身が存在していた既存の基地局からターゲット基地局へハンドオフする場合に、上記加入者端末機は、上記ターゲット基地局との同期獲得動作も遂行する。上記加入者端末機は、ハンドオフ状況まで考慮するので、現在属している第１の基地局から送信されたＤＬ−ＰＩＣＨ信号のＣＩＮＲよりもさらに大きいＣＩＮＲを有するＤＬ−ＰＩＣＨ信号を送信する第２の基地局が存在するか否かを継続してモニタリングしなければならない。このような継続的なモニタリング動作中に、現在属している第１の基地局から送信されたＤＬ−ＰＩＣＨ信号のＣＩＮＲよりもさらに大きいＣＩＮＲを有するＤＬ−ＰＩＣＨ信号を送信する第２の基地局が存在する場合に、上記加入者端末機は、セル再選択動作を遂行する。
【００８４】
上述したように、一番大きい大きさのＣＩＮＲを有するＤＬ−ＰＩＣＨ信号を検出すると、上記加入者端末機は、上記検出されたＤＬ−ＰＩＣＨ信号を送信する基地局を加入者端末機の自身が属した基地局、すなわち、サービング（ｓｅｒｖｉｎｇ）基地局と判断し、上記サービング基地局から送信されたＤＬ−ＢＣＣＨ信号を受信する。上記加入者端末機は、ＤＬ−ＢＣＣＨ信号を受信して、システム構成情報と、周辺基地局情報と、ダウンリンク及びアップリンクチャンネル構成情報と、ダウンリンク及びアップリンクアクセス情報などを検出する。上記加入者端末機がシステム検出モード３００での動作、すなわち、基地局との同期獲得動作を正常に遂行する場合に、上記加入者端末機は、基地局とのデータの送受信のためのネットワーク進入動作を遂行するために、システム検出モード３００からネットワーク進入モード３５０へのモード遷移を遂行する（ステップ３１５）。
【００８５】
ネットワーク進入モード３５０で、上記加入者端末機は、システム検出モード３００で受信されたアップリンクアクセス情報を使用して、ネットワーク進入のための初期アップリンクアクセス動作を遂行する。ここで、上記ネットワーク進入のための初期アップリンクアクセス動作は、コンテンションベース方式にて遂行され、上記加入者端末機は、ＵＬ−ＡＣＨを介して上記初期アップリンクアクセス動作を遂行し、上記基地局は、ＤＬ−ＢＣＣＨを介して上記初期アップリンクアクセスに対する応答を上記加入者端末機へ送信する。ここで、上記初期アップリンクアクセス及びその応答は、ＭＡＣメッセージを介して送受信される。上記初期アップリンクアクセスに対する応答を含むＭＡＣメッセージには、上記加入者端末機がスリーピングステート２１５でモニタリングしなければならないＤＬ−ＷＵＣＨのスロットインデックス情報が含まれる。
【００８６】
一方、ネットワーク進入モード３５０で、上記加入者端末機がネットワーク進入動作を遂行した後に、上記加入者端末機は、基地局へ送信されるデータが存在する場合に、アクセスステート２１７への状態遷移を遂行する（ステップ３１９）。また、ネットワーク進入モード３５０で、上記加入者端末機がネットワーク進入動作を遂行した後に、上記加入者端末機は、ＤＬ−ＢＣＣＨを介して、上記加入者端末機へ送信されるデータが存在することを示す呼出し情報を受信すると、トラヒックステート２１９への状態遷移を遂行する（ステップ３２１）。また、ネットワーク進入モード３５０で、上記加入者端末機が基地局と送受信されるデータが存在しない場合に、上記加入者端末機は、スリーピングステート２１５への状態遷移を遂行する（ステップ３２３）。最後に、ネットワーク進入モード３５０で、上記加入者端末機がシステムエラーによって正常な動作を遂行することができない場合に、上記加入者端末機は、システム検出モード３００へのモード遷移を遂行して、リセットに従う初期動作をさらに遂行しなければならない。
【００８７】
図３では、初期化状態２１３の動作モードについて説明した。次に、図４を参照して、スリーピングステート２１５について説明する。
【００８８】
図４は、図２に示したスリーピングステート２１５の動作モードを概略的に示す図である。
【００８９】
図４を参照すると、まず、スリーピングステート２１５は、スリーピングモード（ｓｌｅｅｐｉｎｇ  ｍｏｄｅ）４００及びアウェイクモード（ａｗａｋｅ  ｍｏｄｅ）４５０の２種類の動作モードを備える。図２を参照して説明するように、上記加入者端末機がネットワーク進入動作を正常に遂行する場合に、上記加入者端末機は、初期化状態２１３からスリーピングステート２１５への状態遷移を遂行する（ステップ４１１）。また、スリーピングステート２１５で、システムエラーのような問題によって上記基地局との同期を損失する場合に、上記加入者端末機は、スリーピングステート２１５からヌルステート２１１への状態遷移を遂行して、初期動作をさらに遂行する（ステップ４１３）。一方、上記加入者端末機が初期化状態２１３からスリーピングステート２１５への状態遷移を遂行する場合に、上記加入者端末機は、スリーピングステート２１５のスリーピングモード４００、あるいは、アウェイク４５０へ進入する。
【００９０】
一番目に、スリーピングモード４００について説明すると、次の通りである。
【００９１】
スリーピングモード４００で、上記加入者端末機は、基地局から送信されたＤＬ−ＢＣＣＨを継続してモニタリングせず、ＤＬ−ＷＵＣＨのみをモニタリングする。従って、上記ＤＬ−ＷＵＣＨのウェイクアップインジケータがターンオンされる場合にのみ、上記加入者端末機は、スリーピングモード４００からアウェイク４５０へのモード遷移を遂行して、ＤＬ−ＢＣＣＨをモニタリングする。ここで、基地局がＤＬ−ＷＵＣＨのウェイクアップインジケータを‘オン’に設定する場合を説明すると、一番目に、上記システム情報が更新される場合、あるいは、上記加入者端末機へ送信されるデータを上記加入者端末機へ通知する呼出し情報を含む場合である。結果的に、上記加入者端末機は、スリーピングモード４００で、ＤＬ−ＷＵＣＨのみをモニタリングしていた、上記加入者端末機の自身に割り当てられたＤＬ−ＷＵＣＨのウェイクアップインジケータがターンオンされる場合にのみ、上記ＤＬ−ＢＣＣＨをモニタリングして電力消費を最小化する。このように、上記ＤＬ−ＷＵＣＨのみをモニタリングする間に、上記ＤＬ−ＷＵＣＨのウェイクアップインジケータがターンオンされる場合に、上記加入者端末機は、スリーピングモード４００からアウェイク４５０へのモード遷移を遂行する（ステップ４１５）。
【００９２】
二番目に、アウェイクモード４５０について説明する。
【００９３】
アウェイクモード４５０で、上記加入者端末機は、上記基地局から送信されたＤＬ−ＢＣＣＨをモニタリングする。上述したように、上記基地局がシステム情報を更新するか、あるいは、上記加入者端末機へ送信されるデータを上記加入者端末機へ通知するための呼出し情報を送信するために、上記加入者端末機をウェイクアップするので、上記加入者端末機は、上記ＤＬ−ＢＣＣＨをモニタリングして、システム情報が更新されるかどうか、あるいは、呼出し情報が上記基地局から受信されるかどうかを確認することができる。ここで、上記ＤＬ−ＢＣＣＨをモニタリングした結果として、上記システム情報が更新される場合に、上記加入者端末機は、上記更新されたシステム情報を確認して、アウェイクモード４５０からスリーピングモード４００へのモード遷移を遂行する（ステップ４１７）。また、上記ＤＬ−ＢＣＣＨをモニタリングした結果として、上記加入者端末機をターゲットとする呼出し情報がある場合に、上記加入者端末機は、アウェイクモード４５０からトラヒックステート２１９への状態遷移を遂行する（ステップ４２５）。
【００９４】
一方、上記加入者端末機が基地局へ送信するデータが存在する場合に、上記加入者端末機は、アウェイクモード４５０からアクセスステート２１７への状態遷移を遂行し、これによって、コンテンションベース方式のアップリンクアクセスを遂行する（ステップ４１９）。また、アクセスステート２１７で、上記加入者端末機がコンテンションベース方式のアップリンクアクセスを所定の時間の間に遂行したにもかかわらず、上記アップリンクアクセスに失敗すると、上記加入者端末機は、アクセスステート２１７からスリーピングステート２１５への状態遷移を遂行する（ステップ４２１）。
【００９５】
また、上記加入者端末機が上記アップリンクアクセスに失敗する場合だけでなく、データ送信を取り消す場合にも、上記加入者端末機は、アクセスステート２１７からスリーピングステート２１５への状態遷移を遂行する。また、トラヒックステート２１９で、上記加入者端末機が上記基地局へ送信するデータがこれ以上存在しない場合、あるいは、加入者端末機自身の電力消費を減少させる必要性がある場合に、上記加入者端末機は、トラヒックステート２１９からスリーピングステート２１５への状態遷移を遂行する（ステップ４２３）。
【００９６】
図４では、スリーピングステート２１５の動作モードについて説明した。以下、図５を参照して、初期化状態２１３で、基地局と加入者端末機との間で遂行された信号送受信過程について説明する。
【００９７】
図５は、図２に示した初期化状態２１３で基地局と加入者端末機との間で遂行された信号送受信過程を示すフローチャートである。
【００９８】
図５を参照すると、まず、加入者端末機がパワーオンされる場合に（ステップ５１１）、上記加入者端末機は、ヌルステート２１１で初期動作を遂行する。上記初期動作を正常に完了すると、上記加入者端末機は、初期化状態２１３のシステム検出モード３００への状態遷移を遂行する。システム検出モード３００で、上記基地局は、ＤＬ−ＰＩＣＨを介してパイロット信号を送信し（ステップ５１３）、ＤＬ−ＢＣＣＨを介して、システム構成情報と、周辺基地局情報と、ダウンリンク及びアップリンクチャンネル構成情報と、ダウンリンク及びアップリンクアクセス情報などを送信する（ステップ５１５）。上記加入者端末機は、システム検出モード３００で、上記ＤＬ−ＰＩＣＨを介して受信されたパイロット信号を使用して、上記基地局との同期を獲得した後に、ネットワーク進入モード３５０へのモード遷移を遂行する。その後に、上記加入者端末機は、ネットワーク進入モード３５０で、上記ＤＬ−ＢＣＣＨを介して受信されたアップリンクアクセス情報に相当するＵＬ−ＡＣＨを介して、上記基地局へネットワーク進入要求メッセージを送信する（ステップ５１７）。上記加入者端末機のネットワーク進入要求を感知すると、上記基地局は、上記加入者端末機のネットワーク進入要求メッセージに応じて、ネットワーク進入応答メッセージをＤＬ−ＢＣＣＨを介して送信する（ステップ５１９）。ここで、上記ネットワーク進入応答メッセージは、上述したように、上記加入者端末機が上記スリーピングモードでモニタリングしなければならないＤＬ−ＷＵＣＨのスロットインデックス情報を含む。
【００９９】
図５では、初期化状態２１３で、基地局と加入者端末機との間で遂行された信号送受信過程を説明した。次に、図６を参照して、スリーピングステート２１５で、基地局と加入者端末機との間で遂行された信号送受信過程について説明する。
【０１００】
図６は、図２に示したスリーピングステート２１５で加入者端末機と基地局との間で遂行された信号送受信過程を示すフローチャートである。
【０１０１】
図６を参照すると、まず、加入者端末機が初期化状態２１５でネットワーク進入に成功すると（ステップ６１１）、スリーピングステート２１５への状態遷移を遂行する。ここで、上記加入者端末機が初期化状態２１３からスリーピングステート２１５への状態遷移を遂行する場合は、上記加入者端末機と基地局との間で送受信されるデータが存在しない場合である。上述したように、上記加入者端末機が初期化状態２１３でネットワーク進入に成功した後に、基地局へ送信するデータが存在する場合には、上記加入者端末機は、アクセスステート２１７への状態遷移を遂行し、上記加入者端末機が上記基地局から受信されたデータを有している場合には、トラヒックステート２１９への状態遷移を遂行する。上記基地局は、上記加入者端末機がスリーピングステート２１５のスリーピングモード４００に存在するので、ＤＬ−ＷＵＣＨを介してウェイクアップインジケータを上記加入者端末機へ送信する（ステップ６１３）。
【０１０２】
ここで、上記ウェイクアップインジケータが‘オン’状態にある場合に、上記加入者端末機は、スリーピングモード４００からアウェイクモード４５０へのモード遷移を遂行し、これとは反対に、上記ウェイクアップインジケータが‘オフ’状態にある場合に、上記加入者端末機は、そのままスリーピングモード４００に滞在する。図６では、ステップ６１３で、上記基地局が送信したＤＬ−ＷＵＣＨのウェイクアップインジケータが‘オフ’状態にあると仮定する。ステップ６１３で、上記基地局が送信したＤＬ−ＷＵＣＨのウェイクアップインジケータが‘オン’状態にある場合には、次のステップ６１５を省略することができる。このように、上記ＤＬ−ＷＵＣＨのウェイクアップインジケータが‘オフ’状態にある場合に、上記加入者端末機は、そのままスリーピングモード４００に滞在し、上記基地局が送信したＤＬ−ＷＵＣＨ信号を受信する（ステップ６１５）。
【０１０３】
一方、ステップ６１５で、上記基地局が送信したＤＬ−ＷＵＣＨのウェイクアップインジケータが‘オン’状態にある場合に、上記加入者端末機は、スリーピングモード４００からアウェイクモード４５０へのモード遷移を遂行する。このように、上記加入者端末機がアウェイクモード４５０に存在する場合に、上記基地局は、上記ＤＬ−ＢＣＣＨを介して更新されたシステム情報、あるいは、呼出し情報を送信する（ステップ６１７）。上述したように、上記基地局が上記ＤＬ−ＢＣＣＨを介して送信されるシステム情報を更新する場合に、あるいは、上記基地局が上記加入者端末機へ呼出し情報を送信することを望む場合に、まず、上記加入者端末機は、‘オン’状態にある上記ＤＬ−ＷＵＣＨのウェイクアップインジケータを送信した後に、上記ＤＬ−ＢＣＣＨを介して、上記更新されたシステム情報、あるいは、呼出し情報を送信する。
【０１０４】
図６では、スリーピングステート２１５で加入者端末機と基地局との間で遂行された信号送受信過程を説明した。次に、図７を参照して、スリーピングステート２１５で上記基地局の動作過程について説明する。
【０１０５】
図７は、図２に示したスリーピングステート２１５での基地局の動作を示すフローチャートである。
【０１０６】
図７を参照すると、まず、ステップ７１１で、上記基地局は、加入者端末機へ送信されるデータが発生したか否かを検査する。上記検査の結果、上記加入者端末機へ送信されるデータが発生しなかった場合に、上記基地局は、ステップ７１３に進行する。ステップ７１３で、上記加入者端末機へ送信されるデータが存在しないので、上記基地局は、上記ＤＬ−ＷＵＣＨのウェイクアップインジケータを‘オフ’に設定し、上記ＤＬ−ＷＵＣＨのウェイクアップインジケータを送信して、ステップ７１１へ戻る。結果的に、上記加入者端末機へ送信されるデータが存在する場合に、上記基地局は、ステップ７１５へ進行する。ステップ７１５で、上記基地局は、送信される上記データがターゲットとする加入者端末機を決定した後に、ステップ７１７に進行する。
【０１０７】
ステップ７１７で、上記基地局は、上記加入者端末機へ送信されるデータが存在するので、ＤＬ−ＷＵＣＨのウェイクアップインジケータを‘オン’に設定して送信した後に、ステップ７１９へ進行する。ここで、上記加入者端末機は、スリーピングステート２１５のスリーピングモード４００にあるので、上記ＤＬ−ＷＵＣＨのみをモニタリングし、‘オン’に設定された上記ＤＬ−ＷＵＣＨのウェイクアップインジケータを受信する場合にのみ、スリーピングモード４００からアウェイクモード４５０へのモード遷移を遂行する。ステップ７１９で、上記基地局は、上記加入者端末機へ送信されるデータがあることを示す呼出し情報をＤＬ−ＢＣＣＨを介して上記加入者端末機へ送信した後に、ステップ７２１へ進行する。ここで、上記加入者端末機は、上記ＤＬ−ＢＣＣＨを介して呼出し情報を受信すると、アウェイクモード４５０からトラヒックステート２１９への状態遷移を遂行する。
【０１０８】
ステップ７２１で、上記基地局は、データを送信するのに使用されるＤＬ−ＴＣＨを送信するための制御情報をＤＬ−ＴＣＣＨを介して上記加入者端末機へ送信し、上記ＤＬ−ＴＣＨを介して上記加入者端末機へデータを送信した後に、ステップ７２３に進行する。ここで、上記ＤＬ−ＴＣＣＨを介して送信される制御情報には、上述したように、ＡＭＣ方式情報と、ＥＰのようなデータデコーディングに使用された情報と、ＭＡＣ制御メッセージなどがある。
【０１０９】
ステップ７２３で、上記加入者端末機は、上記データの送信が完了されたか否かを検査する。ここで、上記データの送信が完了されたか否かは、上記基地局に備えられている送信バッファ（ｔｒａｎｓｍｉｓｓｉｏｎ  ｂｕｆｆｅｒ）に記憶されているデータが存在する否かを判断することができる。すなわち、上記基地局は、上記送信バッファに記憶されているデータが存在する場合には、上記データの送信が進行中であると判断し、上記送信バッファに記憶されているデータが存在しない場合には、上記データの送信が完了されたものと判断する。ステップ７２３の検査の結果として、上記データの送信が完了されなかった場合に、上記基地局は、ステップ７２１へ戻る。ステップ７２３の検査の結果として、上記データの送信が完了された場合に、上記基地局は、ステップ７１１へ戻る。
【０１１０】
図７を参照して、上記基地局がスリーピングステート２１５に存在する加入者端末機へデータを送信する場合の基地局の動作について説明したものであり、図７で別途に説明しなかったが、上記基地局が更新されたシステム情報を送信する場合に、やはり図７と類似している動作を遂行する。すなわち、上記基地局が更新された上記システム情報があることを感知すると、上記ＤＬ−ＷＵＣＨのウェイクアップインジケータを‘オン’に設定して送信した後に、上記ＤＬ−ＢＣＣＨを介して更新された上記システム情報を送信する。この場合に、上記加入者端末機は、‘オン’に設定される上記ＤＬ−ＷＵＣＨのウェイクアップインジケータを受信し、スリーピングモード４００からウェイクアップモード４５０へのモード遷移を遂行し、これによって、上記ＤＬ−ＢＣＣＨを介して更新された上記システム情報を受信する。この後に、上記加入者端末機は、ウェイクアップモード４５０からスリーピングモード４００へのモード遷移を遂行する。
【０１１１】
図７では、スリーピングステート２１５で基地局の動作過程を説明した。以下、図８を参照して、スリーピングステート２１５で上記加入者端末機の動作過程について説明する。
【０１１２】
図８は、図２に示したスリーピングステート２１５での加入者端末機の動作過程を示すフローチャートである。
【０１１３】
図８を参照すると、まず、ステップ８１１で、上記加入者端末機は、スリーピングステート２１５のスリーピングモード４００でＤＬ−ＷＵＣＨのみをモニタリングした後に、ステップ８１３へ進行する。ステップ８１３で、上記加入者端末機は、上記ＤＬ−ＷＵＣＨのウェイクアップインジケータが‘オン’に設定されているか否かを検査する。上記検査の結果、上記ＤＬ−ＷＵＣＨのウェイクアップインジケータが‘オン’に設定されなかった場合に、すなわち、上記ＤＬ−ＷＵＣＨのウェイクアップインジケータが‘オフ’に設定されている場合に、上記加入者端末機は、ステップ８１１へ戻る。ステップ８１３の検査の結果、上記ＤＬ−ＷＵＣＨのウェイクアップインジケータが‘オン’に設定されている場合に、上記加入者端末機は、ステップ８１５に進行する。ステップ８１５で、上記加入者端末機は、スリーピングモード４００からアウェイクモード４５０へのモード遷移を遂行し、アウェイクモード４５０でＤＬ−ＢＣＣＨをモニタリングした後に、ステップ８１７へ進行する。上記ＤＬ−ＢＣＣＨを介して更新された上記システム情報及び呼出し情報が送信される。図８では、図７に示した基地局の動作に相当するように、上記ＤＬ−ＢＣＣＨを介して上記呼出し情報が送信される場合を例に挙げて説明する。上記加入者端末機が上記ＤＬ−ＢＣＣＨを介して上記呼出し情報を受信する場合に、上記加入者端末機は、アウェイクモード４５０からトラヒックステート２１９への状態遷移を遂行する。
【０１１４】
ステップ８１７で、上記加入者端末機は、基地局から送信されたＤＬ−ＴＣＨ信号及びＤＬ−ＴＣＣＨ信号を受信した後に、ステップ８１９に進行する。ステップ８１９で、上記加入者端末機は、データ受信が完了されたか否かを検査する。上記検査の結果、上記データ受信が完了された場合に、上記加入者端末機は、ステップ８１１へ戻る。一方、上記検査の結果、上記データ受信が完了されなかった場合に、上記加入者端末機は、ステップ８１７へ戻る。
【０１１５】
図８を参照して、上記基地局がスリーピングステート２１５に存在する加入者端末機へデータを送信する場合の加入者端末機の動作について説明したものであり、図８で別途に説明しなかったが、上記基地局が更新されたシステム情報を送信する場合に、上記加入者端末機は、やはり図７と類似している動作を遂行する。すなわち、上記基地局が更新された上記システム情報があることを感知すると、上記ＤＬ−ＷＵＣＨのウェイクアップインジケータを‘オン’に設定して送信した後に、上記ＤＬ−ＢＣＣＨを介して更新された上記システム情報を送信する。この場合に、上記加入者端末機は、‘オン’に設定される上記ＤＬ−ＷＵＣＨのウェイクアップインジケータを受信し、スリーピングモード４００からウェイクアップモード４５０へのモード遷移を遂行し、これによって、上記ＤＬ−ＢＣＣＨを介して更新された上記システム情報を受信する。この後に、上記加入者端末機は、ウェイクアップモード４５０からスリーピングモード４００へのモード遷移を遂行する。
【０１１６】
図８では、スリーピングステート２１５で加入者端末機の動作過程を説明した。以下、図９を参照して、ＤＬ−ＷＵＣＨ送信器の構成を説明する。
【０１１７】
図９は、本発明の実施形態によるＤＬ−ＷＵＣＨ送信器の内部の構成を示すブロック図である。
【０１１８】
図９を参照すると、まず、ＤＬ−ＷＵＣＨを介して送信されるウェイクアップインジケータが上記送信器へ入力されると、上記ウェイクアップインジケータは、シンボル反復器（ｓｙｍｂｏｌ  ｒｅｐｅａｔｅｒ）９１１へ伝達される。ここで、上記ウェイクアップインジケータだけではなく、ウェイクアップインジケータレート（ｗａｋｅ―ｕｐ  ｉｎｄｉｃａｔｏｒ  ｒａｔｅ）及びマーキングレート（ｍａｒｋｅｄ  ｒａｔｅ）がシンボル反復器９１１へ同時に入力される。上記ウェイクアップインジケータレートは、スーパーフレームに含まれたフレームの個数を示し、上記マーキングレートは、上記加入者端末機へ送信されるウェイクアップインジケータの送信周期を示す。例えば、４個のフレームが１個のスーパーフレームを構成し、上記ウェイクアップインジケータが１フレーム単位で送信されると仮定すると、上記ウェイクアップインジケータレートは、‘４’となり、上記マーキングレートは、‘１’となる。シンボル反復器９１１は、入力された上記ウェイクアップインジケータのシンボルを反復した後に、ＤＬ−ＷＵＣＨ情報マッピング器９１３へ出力する。ここで、シンボル反復器９１１のシンボル反復動作に従って、上記ＤＬ−ＷＵＣＨの送信率が決定される。
【０１１９】
一方、データが発生すると、制御器９１７は、このように発生されたデータがどんな加入者端末機をターゲットにするかを決定し、上記データを送信する加入者端末機のＤＬ−ＷＵＣＨスロットインデックス情報及び上記ウェイクアップインジケータが‘オン’に設定されなければならないことを示す情報をＤＬ−ＷＵＣＨ情報マッピング器９１３へ送信する。ＤＬ−ＷＵＣＨ情報マッピング器９１３は、上記データを送信する加入者端末機のＤＬ−ＷＵＣＨスロットインデックス情報に相当するスロットで上記ウェイクアップインジケータを‘オン’に設定した後に、チャンネル利得乗算器９１５へ出力する。ここで、制御器９１７は、上記データが存在しない場合には、該当加入者端末機のＤＬ−ＷＵＣＨスロットインデックス情報及び上記ウェイクアップインジケータが‘オフ’に設定されなければならないことを示す情報をＤＬ−ＷＵＣＨ情報マッピング器９１３へ送信する。この場合に、ＤＬ−ＷＵＣＨ情報マッピング器９１３は、該当加入者端末機のＤＬ−ＷＵＣＨスロットインデックス情報に相当するスロットで、上記ウェイクアップインジケータを‘オフ’に設定した後に、チャンネル利得乗算器９１５へ出力する。チャンネル利得乗算器９１５は、ＤＬ−ＷＵＣＨ情報マッピング器９１３から出力された信号をあらかじめ設定されているチャンネル利得（ｃｈａｎｎｅｌ  ｇａｉｎ）値と乗算した後に出力する。結果的に、チャンネル利得乗算器９１５から出力された信号は、上記加入者端末機へ送信される。
【０１２０】
図９では、本発明の実施形態によるＤＬ−ＷＵＣＨ送信器の内部の構成について説明した。以下、図１０を参照して、図２に示したアクセスステート２１７での加入者端末機の動作過程について説明する。
【０１２１】
図１０は、図２に示したアクセスステート２１７での加入者端末機の動作過程を示すフローチャートである。
【０１２２】
図１０を説明する前に、本発明で提案したアクセスステート２１７は、上記加入者端末機がトラヒックの送信を希望する場合に、上記加入者端末機から上記基地局へ帯域幅割当て要求メッセージを送信し、上記帯域幅割当て要求メッセージに対する応答メッセージである帯域幅割当て応答メッセージを受信して、結果的に、アップリンクアクセスを遂行する状態である。また、上述したように、上記基地局は、上記トラヒックのＱｏＳに従って、上記加入者端末機が上記帯域幅割当て要求メッセージを送信する場合に使用されるＰＮ符号をすでに割り当てた状態であり、上記加入者端末機は、上記帯域幅割当て要求メッセージを送信する場合に、送信される上記トラヒックのＱｏＳに従って別に適用されたＰＮ符号を使用するものに留意しなければならない。
【０１２３】
図１０を参照すると、まず、ステップ１０１１で、上記加入者端末機から送信されるトラヒックが発生すると、上記加入者端末機は、上記送信されるトラヒックのＱｏＳを検出した後に、ステップ１０１３へ進行する。ここで、上記トラヒックのＱｏＳを検出することは、上述したように、上記トラヒックのＱｏＳクラスを検出することを意味する。すなわち、上記トラヒック、すなわち、ＵＧＳトラヒックであるか、あるいは、実時間サービストラヒックであるか、あるいは、非実時間サービストラヒックであるか、あるいは、最善試みトラヒックであるかを検出することを意味する。ステップ１０１３で、上記加入者端末機は、上記検出されたＱｏＳに従って帯域幅割当て要求メッセージに適用されるＰＮ符号を選択した後に、ステップ１０１５へ進行する。
【０１２４】
ここで、検出された上記ＱｏＳに相当するＰＮ符号を選択することは、上述したように、上記ＱｏＳがＵＧＳである場合には、上記ＵＧＳトラヒックに適用されるように割り当てられたＰＮ符号のうちの任意の１つのＰＮ符号を選択することを意味し、あるいは、上記ＱｏＳが実時間サービスである場合には、上記実時間サービストラヒックに適用されるように割り当てられたＰＮ符号のうちの任意の１つのＰＮ符号を選択することを意味し、あるいは、上記ＱｏＳが非実時間サービスである場合には、上記非実時間サービストラヒックに適用されるように割り当てられたＰＮ符号のうちの任意の１つのＰＮ符号を選択することを意味し、あるいは、上記ＱｏＳが最善の試みである場合には、上記最善試みトラヒックに適用されるように割り当てられたＰＮ符号のうちの任意の１つのＰＮ符号を選択することを意味する。従って、上記ＰＮ符号は、スクランブリングコード（ｓｃｒａｍｂｌｉｎｇ  ｃｏｄｅ）として使用される。一方、上記加入者端末機は、上記トラヒックのＱｏＳに従って割り当てられているＰＮ符号に関する情報を初期化状態２１３、あるいは、スリーピングステート２１５、すなわち、上記加入者端末機がアクセスステート２１７への状態遷移を遂行する前の状態で、ＤＬ−ＢＣＣＨを介して受信することができる。
【０１２５】
ステップ１０１５で、上記加入者端末機は、アップリンクアクセスを試み、すなわち、選択された上記ＰＮ符号を使用して上記帯域幅割当要求メッセージをスクランブリングして上記ＵＬ−ＡＣＨを介して基地局へ送信した後に、ステップ１０１７へ進行する。ステップ１０１７で、上記加入者端末機は、上記アップリンクアクセスが成功したかどうか、すなわち、上記基地局から送信されたＤＬ−ＵＳＣＣＨをモニタリングして、上記帯域幅割当て要求メッセージに対する応答メッセージである帯域幅割当て応答メッセージを受信したか否かを検査する。すなわち、上記加入者端末機が上記アップリンクアクセスの遂行の結果として、アップリンク帯域幅の割当てを受けない場合に、高速のアクセスを遂行することができるように、上記ＤＬ−ＵＳＣＣＨを介したＰＮ符号を上記加入者端末機へ通知するので、上記加入者端末機がアップリンクアクセスを遂行する場合には、上記加入者端末機は、ＤＬ−ＢＣＣＨを介して基地局が送信したＰＮ符号情報を獲得する。
【０１２６】
ステップ１０１７の検査の結果、上記ＤＬ−ＵＳＣＣＨを介して帯域幅割当て応答メッセージが受信されない場合に、上記加入者端末機は、ステップ１０２５に進行する。ステップ１０２５で、上記加入者端末機は、上記帯域幅割当て応答メッセージを受信する待機時間であるＡｃｃｅｓｓ＿Ｔｒｙ＿Ｔｉｍｅが経過されたかどうかを検査する。上記検査の結果、上記Ａｃｃｅｓｓ＿Ｔｒｙ＿Ｔｉｍｅが経過されなかった場合に、上記加入者端末機は、ステップ１０１７へ戻って、上記ＤＬ−ＵＳＣＣＨを介して帯域幅割当て応答メッセージを受信するか否かを持続的にモニタリングする。一方、ステップ１０２５の検査の結果、上記Ａｃｃｅｓｓ＿Ｔｒｙ＿Ｔｉｍｅが経過された場合に、上記加入者端末機は、ステップ１０２７へ進行する。ステップ１０２７で、上記加入者端末機が上記アップリンクアクセスに失敗したので、アクセスステート２１７からスリーピングステート２１５への状態遷移を遂行した後に、上記アップリンクアクセス過程を終了する。
【０１２７】
一方、ステップ１０１７の検査の結果、上記加入者端末機は、上記ＤＬ−ＵＳＣＣＨを介して帯域幅割当て応答メッセージを受信し、ステップ１０１９へ進行する。ステップ１０１９で、上記加入者端末機が上記帯域幅割当て応答メッセージを受信するので、上記加入者端末機は、アクセスステート２１７からトラヒックステート２１９への状態遷移を遂行し、上記アップリンクアクセス過程を終了する。ここで、アクセスステート２１７からトラヒックステート２１９への状態遷移手順を具体的に説明すると、次の通りである。
【０１２８】
上記帯域幅割当て応答メッセージは、上記基地局が上記加入者端末機のアップリンクトラヒックの送信のために、上記加入者端末機に割り当てたアップリンク帯域幅情報が含まれるか、あるいは、上記基地局が現在使用可能なアップリンク帯域幅が存在しない場合に、上記加入者端末機にアップリンク帯域幅を優先的に割り当てるために、すなわち、上記加入者端末機の高速のアクセスのために、上記基地局が上記加入者端末機に専用で割り当てたＰＮ符号情報、すなわち、高速のアクセスＰＮ符号情報が含まれる。アクセスステート２１７で、上記加入者端末機が上記帯域幅割当て応答メッセージを介して上記高速のアクセスＰＮ符号のみが割り当てられるとしても、上記加入者端末機は、上記アップリンクアクセスにすでに成功したものと判断するので、アクセスステート２１７からトラヒックステート２１９への状態遷移を遂行する。アクセスステート２１７からトラヒックステート２１９への状態遷移を遂行すると、上記加入者端末機が上記アップリンク帯域幅の割当てを受けたか、または上記加入者端末機が上記高速のアクセスＰＮ符号の割当てを受けたかによって、トラヒックステート２１９の相互に異なるモードへの遷移が遂行される。これは、下記で詳細に説明する。
【０１２９】
また、図３には図示していないが、図２を参照して説明したように、アクセスステート２１７で、上記加入者端末機が上記アップリンクアクセスに失敗する場合だけではなく、上記トラヒック送信を取り消す場合も、上記加入者端末機は、アクセスステート２１７からスリーピングステート２１５への状態遷移を遂行する。一方、上記加入者端末機がアクセスステート２１７で上記アップリンクアクセスを遂行している間に、システムエラーのような問題によって上記基地局との同期を損失する場合に、上記加入者端末機は、アクセスステート２１７からヌルステート２１１への状態遷移を遂行し、これによって、初期動作をさらに遂行しなければならない。すなわち、上記加入者端末機がシステムエラーのような問題によってリセットされる場合に、上記加入者端末機は、ヌルステート２１１で新たな動作をさらに開始しなければならない。
【０１３０】
図１０では、図２に示したアクセスステート２１７での加入者端末機の動作過程を説明した。以下、図１１を参照して、図２に示したアクセスステート２１７で、基地局と加入者端末機との間で遂行された信号送受信過程について説明する。
【０１３１】
図１１は、図２に示したアクセスステート２１７での基地局と加入者端末機との間で遂行された信号送受信過程を示すフローチャートである。
【０１３２】
図１１を参照すると、まず、加入者端末機が初期化状態２１３またはスリーピングステート２１５に存在する間に（ステップ１１１１）、上記加入者端末機は、ＤＬ−ＢＣＣＨを介して基地局から送信されるシステム構成情報及びオーバーヘッド（ｏｖｅｒｈｅａｄ）情報などを受信する（ステップ１１１３）。この後に、上記加入者端末機が、初期化状態２１３でネットワーク進入に成功した後に、上記基地局へ送信されるトラヒックが存在するか、あるいは、スリーピングステート２１５で、上記加入者端末機が上記基地局へ送信されるトラヒックが存在する場合に、上記加入者端末機は、初期化状態２１３、あるいは、スリーピングステート２１５からアクセスステート２１７への状態遷移を遂行する。
【０１３３】
アクセスステート２１７で、上記加入者端末機がアップリンクを介して送信されるトラヒックが存在するので、上記加入者端末機は、送信される上記トラヒックのＱｏＳを検出し、検出された上記ＱｏＳに従って割り当てられたＰＮ符号を選択する。上記加入者端末機は、上記選択されたＰＮ符号を使用して、帯域幅割当て要求メッセージをスクランブリングして、ＵＬ−ＡＣＨを介して上記基地局へ送信する（ステップ１１１５）。上記帯域幅割当て要求メッセージを送信した後に、上記加入者端末機は、ＤＬ−ＵＳＣＣＨをモニタリングして、上記帯域幅割当て要求メッセージに対する応答メッセージである帯域幅割当て応答メッセージを受信する（ステップ１１１７）。上記帯域幅割当て応答メッセージを受信すると、上記加入者端末機は、アクセスステート２１７からトラヒックステート２１９への状態遷移を遂行する。この後に、トラヒックステート２１９で、上記加入者端末機は、上記帯域幅割当て応答メッセージに含まれているアップリンク帯域幅割当て情報に相当するＵＬ−ＴＣＨを介して、上記基地局へトラヒックを送信する（ステップ１１１９）。もちろん、上述したように、上記帯域幅割当て応答メッセージが高速のアクセスＰＮ符号情報のみを含んでいる場合には、上記加入者端末機は、トラヒックステート２１９で上記トラヒックを直接送信するものではなく、使用可能なアップリンク帯域幅が上記基地局に存在する時点で、上記トラヒックを送信することができる。
【０１３４】
図１１では、図２に示したアクセスステート２１７で基地局と加入者端末機との間で遂行された信号送受信過程を説明した。以下、図１２を参照して、図２に示したアクセスステート２１７で基地局の動作過程について説明する。
【０１３５】
図１２は、図２に示したアクセスステート２１７での基地局の動作過程を示すフローチャートである。
【０１３６】
図１２を参照すると、まず、ステップ１２１１で、上記基地局は、ＵＬ−ＡＣＨをモニタリングした後に、ステップ１２１３に進行する。ステップ１２１３で、上記基地局は、上記ＵＬ−ＡＣＨをモニタリングした結果として、加入者端末機から帯域幅割当て要求メッセージが受信されるか否かを検査する。上記検査の結果、上記基地局が上記加入者端末機から帯域幅割当て要求メッセージを受信しなかった場合に、上記基地局は、ステップ１２１１へ進行して、上記ＵＬ−ＡＣＨを持続的にモニタリングする。
【０１３７】
一方、ステップ１２１３の検査の結果、上記加入者端末機から帯域幅割当て要求メッセージを受信する場合に、上記基地局は、ステップ１２１５へ進行する。ステップ１２１５で、上記基地局は、上記帯域幅割当て要求メッセージがスクランブリングされたＰＮ符号に従って、上記加入者端末機がアップリンクを介して送信されることを望むトラヒックのＱｏＳを判断した後に、上記トラヒックのためのリソースを上記加入者端末機に割り当てる。この後に、上記基地局は、ステップ１２１７へ進行する。ここで、上記‘リソース’とは、アップリンク帯域幅、あるいは、高速のアクセスＰＮ符号を意味する。上記基地局が上記加入者端末機にアップリンク帯域幅を割り当てることができる場合に、上記アップリンク帯域幅は、上記‘リソース’となる。一方、上記基地局が使用可能なアップリンク帯域幅が存在しないので、上記加入者端末機にアップリンク帯域幅を割り当てることができない場合に、上記加入者端末機からアップリンクを介して送信されるトラヒックのＱｏＳが高いと、上記加入者端末機が高速のアクセスを遂行してアップリンク帯域幅を受信することができるように、上記加入者端末機は、高速のアクセスＰＮ符号を割り当てる。この場合に、上記高速のアクセスＰＮ符号は、‘リソース’となる。ステップ１２１７で、上記基地局は、上記割り当てられたリソースに関する情報を帯域幅割当て応答メッセージに含ませて、ＤＬ＿ＵＳＣＣＨを介して上記加入者端末機へ送信する。
【０１３８】
図１２では、説明の便宜上、上記基地局が１つの加入者端末機のアップリンクアクセスに対するリソースを割り当てる場合について説明したが、上記基地局は、上記基地局がサービスを提供している複数の加入者端末機に、上記アップリンクアクセスに対するリソースを割り当てることは勿論である。
【０１３９】
図１２では、図２に示したアクセスステート２１７での基地局の動作過程について説明した。以下、図１３を参照して、トラヒックステート２１９の動作モードについて説明する。
【０１４０】
図１３は、図２に示したトラヒックステート２１９の動作モードを概略的に示す図である。
【０１４１】
図１３を参照すると、まず、トラヒックステート２１９は、３種類の動作モード、すなわち、アクティブモード（ａｃｔｉｖｅ  ｍｏｄｅ）１３００と、高速のアクセスモード（ｆａｓｔ  ａｃｃｅｓｓ  ｍｏｄｅ）１３３０と、ホールドモード（ｈｏｌｄ  ｍｏｄｅ）１３６０とを含む。図２を参照して説明したように、上記加入者端末機がネットワーク進入動作を正常に遂行した後に、上記加入者端末機は、上記基地局から送信されたＤＬ−ＵＳＣＣＨをモニタリングする。上記ＤＬ−ＵＳＣＣＨをモニタリングする間に、上記加入者端末機が上記基地局から上記加入者端末機へ送信されるデータが存在することを感知すると、上記加入者端末機は、初期化状態２１３からトラヒックステート２１９への状態遷移を遂行する（ステップ１３１１）。また、上記加入者端末機がトラヒックステート２１９で、システムエラーのような問題によって上記基地局との同期を損失する場合に、上記加入者端末機は、トラヒックステート２１９からヌルステート２１１への状態遷移を遂行して、初期動作をさらに遂行する（ステップ１３２１）。一方、上記加入者端末機が初期化状態２１３からトラヒックステート２１９への状態遷移を遂行すると、上記加入者端末機は、トラヒックステート２１９のアクティブモード１３００へ進入する。
【０１４２】
また、上記ＤＬ−ＢＣＣＨ、ＤＬ−ＷＵＣＨ、ＤＬ−ＵＳＣＣＨのようなチャンネルをモニタリングする間に、スリーピングステート２１５で、上記加入者端末機が上記基地局から上記加入者端末機自身へ送信されるデータが存在することを感知すると、上記加入者端末機は、トラヒックステート２１９のアクティブモード１３００へ進入する（ステップ１３１３）。これとは異なって、トラヒックステート２１９で、上記基地局と加入者端末機との間でデータの送受信が完了されると、上記加入者端末機は、スリーピングステート２１５への状態遷移を遂行する（ステップ１３１５）。ここで、スリーピングステート２１５への状態遷移を遂行した加入者端末機は、図２を参照して説明したように、上記基地局から割り当てられたＤＬ−ＷＵＣＨのウェイクアップインジケータをモニタリングし、これによって、電力消費を最小化する。
【０１４３】
また、上記加入者端末機がアクセスステート２１７でアップリンクアクセスに成功する場合に、トラヒックステート２１９のアクティブモード１３００へ進入するか（ステップ１３１９）、あるいは、高速のアクセスモード１３３０へ進入する（ステップ１３１７）。ここで、上記加入者端末機がアクセスステート２１７からトラヒックステート２１９の高速のアクティブモード１３００へ進入する場合、又は高速のアクセスモード１３３０へ進入する場合について、具体的に説明すると、次の通りである。
【０１４４】
一番目に、上記加入者端末機がアクセスステート２１７からトラヒックステート２１９のアクティブモード１３００へ進入する場合は、アクセスステート２１７で、上記加入者端末機がアップリンクアクセスに従って基地局からアップリンク帯域幅の割当てを受けた場合である。二番目に、上記加入者端末機がアクセスステート２１７からトラヒックステート２１９の高速のアクセスモード１３３０へ進入する場合は、アクセスステート２１７で、上記加入者端末機がアップリンクアクセスを遂行した結果として、アップリンク帯域幅の割当てを受けることではなく、高速のアクセスＰＮ符号、あるいは、高速のアクセスタイムスロットの割当てを受けた場合である。
【０１４５】
ここで、アクティブモード１３００について説明する。まず、アクティブモード１３００は、上記すべてのＱｏＳクラスに該当データを送信することができるモードであって、アクティブモード１３００で、上記基地局とデータを送受信する間に、上記データの送受信が一時的に中断される場合に、上記加入者端末機は、ホールドモード１３６０へ進入する（ステップ１３２９）。しかしながら、上記ＵＧＳデータ及び実時間サービスデータに対しては、ホールドモード１３６０を支援しない。すなわち、上記ＵＧＳデータ及び実時間サービスデータは、データを送受信する際に、上記データの固有の特性によって、遅延時間に対して厳格な制限を有する。従って、上記加入者端末機は、アクティブモード１３００で、上記基地局へ／から上記ＵＧＳデータ、あるいは、実時間サービスデータを送受信する間に、データの送受信が一時的に中断されるとしても、ホールドモード１３６０へ進入することではなく、そのままアクティブモード１３００を維持し、これによって、さらに発生するデータの送受信を迅速に支援する。アクティブモード１３００からホールドモード１３６０へのモード遷移は、上記基地局又は上記加入者端末機がモード変更要求（ｍｏｄｅ  ｃｈａｎｇｅ  ｒｅｑｕｅｓｔ）メッセージを送信することによってなされ、これは、下記で詳細に説明する。
【０１４６】
次に、高速のアクセスモード１３３０について説明する。
【０１４７】
高速のアクセスモード１３３０は、上述したように、上記加入者端末機がアップリンクアクセスを試みて、実際のアップリンク帯域幅の割当てを受けることではなく、高速のアクセスＰＮ符号、あるいは、高速のアクセスタイムスロットの割当てを受けた場合に、上記基地局への高速のアクセスを遂行するモードである。上記加入者端末機が上記割り当てられた高速のアクセスＰＮ符号を使用してアップリンクアクセスを遂行する場合には、コンテンションベース方式のアップリンクアクセスを遂行する際のコンテンション確率を最小化し、高速のアクセスを可能にする。また、上記加入者端末機が上記割当てを受けた高速のアクセスタイムスロットを使用して上記アップリンクアクセスを遂行する場合には、上記加入者端末機は、非コンテンション方式にて高速のアクセスを遂行する。その結果、高速のアクセスモード１３３０で、上記基地局が上記アップリンクアクセスに成功すると、上記加入者端末機は、上記基地局へデータを送信するために、アクティブモード１３００へ進入する（ステップ１３２３）。
【０１４８】
次に、ホールドモード１３６０について説明する。
【０１４９】
ホールドモード１３６０は、上述したように、上記加入者端末機と基地局との間のデータ送受信が一時的に中断された状態を有するので、上記基地局へ送信されるデータがホールドモード１３６０で発生する場合に、上記加入者端末機は、上記基地局へアップリンクアクセスを遂行しなければならない。また、ホールドモード１３６０は、データの送受信のための接続（ｃｏｎｎｅｃｔｉｏｎ）自体が終了された状態ではないので、上記加入者端末機は、上記基地局から送信されたデータに対する応答メッセージ、あるいは、上記応答メッセージに相当する相互に異なるメッセージを送信しなければならない場合が発生することもある。この場合に、上記加入者端末機がアクセスステート２１７で遂行された一般的なアップリンクアクセスに比べて、さらなる高速のアップリンクアクセスを遂行しなければならないので、上記加入者端末機は、ホールドモード１３６０から高速のアクセスモード１３３０へのモード遷移を遂行する（ステップ１３２５）。
【０１５０】
一方、ホールドモード１３６０で、上記加入者端末機は、ＤＬ−ＢＣＣＨを持続的にモニタリングすることではなく、ＤＬ−ＷＵＣＨのみをモニタリングするので、電力消費を最小化することができる。上述したように、ホールドモード１３６０で、上記ＤＬ−ＷＵＣＨをモニタリングする間に、ウェイクアップインジケータがターンオンされる場合に、上記加入者端末機は、アクティブモード１３００へ進入し、これによって、上記基地局からデータを受信する（ステップ１３２７）。
【０１５１】
図１３では、トラヒックステート２１９の動作モードについて説明した。以下、図１４を参照して、基地局の要請に従って、トラヒックステート２１９でのアクティブモード１３００からホールドモード１３６０へのモード遷移過程について説明する。
【０１５２】
図１４は、基地局の要請に従う図１３に示したアクティブモード１３００からホールドモード１３６０へのモード遷移のためのメッセージの送受信過程を示す信号フローチャートである。
【０１５３】
図１４を参照すると、まず、上記加入者端末機がアクティブモード１３００からホールドモード１３６０へのモード変更を遂行しなければならないことを決定すると、上記基地局は、ＤＬ−ＴＣＨを介して上記加入者端末機にモード変更要求メッセージを送信する（ステップ１４１１）。ここで、上記基地局は、上記加入者端末機が高速のアクセスモード１３３０で使用する高速のアクセスＰＮ符号情報、あるいは、高速のアクセスタイムスロット情報を上記モード変更要求メッセージを介して送信することができる。すなわち、ホールドモード１３６０に存在していた加入者端末機が上記基地局へデータを送信しなければならない場合には、コンテンションベース方式のアップリンクアクセスを遂行するよりは、非コンテンション方式のアップリンクアクセスを遂行しなければならないので、上記基地局は、上記モード変更要求メッセージに、上記加入者端末機が高速のアクセスモード１３３０で使用する高速のアクセスＰＮ符号情報、あるいは、高速のアクセスタイムスロット情報を含ませる。ここで、上記基地局が上記高速のアクセスＰＮ符号情報、あるいは、高速のアクセスタイムスロット情報を送信する理由は、ホールドモード１３６０で、上記加入者端末機が上記ＤＬ−ＢＣＣＨをモニタリングしないためである。
【０１５４】
上記加入者端末機がアクティブモード１３００で上記ＤＬ−ＴＣＨを介して上記モード変更要求メッセージを受信すると、上記加入者端末機は、上記モード変更要求メッセージに対する応答メッセージであるモード変更応答（ｍｏｄｅ  ｃｈａｎｇｅ  ｒｅｓｐｏｎｓｅ）メッセージをＵＬ−ＴＣＨを介して上記基地局へ送信する。また、上記モード変更応答メッセージを送信した後に、上記加入者端末機は、アクティブモード１３００からホールドモード１３６０へのモード変更を遂行する（ステップ１４１３）。ホールドモード１３６０で、上記加入者端末機は、ＤＬ−ＷＵＣＨをモニタリングして、ウェイクアップインジケータがターンオンであるか、又はターンオフであるかを周期的に確認する（ステップ１４１５）。
【０１５５】
図１４では、基地局の要請に従って、トラヒックステート２１９のアクティブモード１３００からホールドモード１３６０へのモード遷移過程を説明した。以下、図１５を参照して説明したように、加入者端末機の要請に従って、トラヒックステート２１９のホールドモード１３６０からアクティブモード１３００へのモード遷移過程について説明する。
【０１５６】
図１５は、加入者端末機の要請に従う図１３に示したホールドモード１３６０からアクティブモード１３００へのモード遷移過程を示す信号フローチャートである。
【０１５７】
まず、図１４を参照して説明すると、基地局からの要求に応じて、上記加入者端末機がアクティブモード１３００からホールドモード１３６０へのモード遷移を遂行した後（ステップ１５１１及びステップ１５１３）に、ホールドモード１３６０に存在していた加入者端末機が上記基地局へ送信されるデータが発生することを感知すると、上記加入者端末機は、高速のアクセスモード１３３０へのモード遷移を遂行する。この後に、高速のアクセスモード１３３０で、上記加入者端末機は、アクティブモード１３００で、上記基地局から割当てを受けた高速のアクセスＰＮ符号を使用して、モード変更要求メッセージをＵＬ−ＦＡＣＣＨを介して上記基地局へ送信する（ステップ１５１５）。上記基地局が上記加入者端末機からＵＬ−ＦＡＣＣＨを介してモード変更要求メッセージを受信すると、上記基地局は、上記加入者端末機に対してリソースを割り当て、上記割り当てられたリソース情報を含んで、ＤＬ−ＵＳＣＣＨを介して上記加入者端末機へモード変更応答メッセージを送信する（ステップ１５１７）。
【０１５８】
ここで、‘リソース’とは、アップリンク帯域幅、あるいは、高速のアクセスＰＮ符号、あるいは、高速のアクセスタイムスロットを意味する。上記基地局が上記加入者端末機にアップリンク帯域幅を割り当てることができる場合には、上記アップリンク帯域幅は、上記‘リソース’となる。一方、上述したように、上記基地局が現在使用可能なアップリンク帯域幅を有していないので、上記加入者端末機にアップリンク帯域幅を割り当てることができない場合に、上記高速のアクセスＰＮ符号、あるいは、高速のアクセスタイムスロットは、上記‘リソース’となる。また、上記では、上記加入者端末機が上記モード変更要求メッセージに対するモード変更応答メッセージを受信する場合について説明したが、上記モード変更応答メッセージ自体を受信しないとしても、上記ＤＬ−ＵＳＣＣＨのみを受信する場合も、上記モード変更応答メッセージを受信したものと判断することができる。図１５では、上記モード変更応答メッセージに含まれているリソース情報がアップリンク帯域幅情報であると仮定すると、上記加入者端末機は、高速のアクセスモード１３３０からアクティブモード１３００へのモード変更を遂行し、上記割り当てられたアップリンク帯域幅を使用してＵＬ−ＴＣＨを介して上記データを送信する（ステップ１５１９）。
【０１５９】
図１５では、加入者端末機の要請に応じて、トラヒックステート１２１９のホールドモード１３６０からアクティブモード１３００へのモード変更過程を説明した。次に、図１６を参照して、加入者端末機の要請に応じて、トラヒックステート２１９のアクティブモード１３００からホールドモード１３６０へのモード変更過程について説明する。
【０１６０】
図１６は、加入者端末機の要請に従う図１３に示したアクティブモード１３００からホールドモード１３６０へのモード遷移のためのメッセージの送受信過程を示す信号フローチャートである。
【０１６１】
図１６を参照すると、まず、上記加入者端末機がアクティブモード１３００からホールドモード１３６０へのモード遷移を行わなければならないことを決定すると、上記加入者端末機は、ＵＬ−ＴＣＨを介して上記基地局へモード変更要求メッセージを送信する（ステップ１６１１）。上記基地局が上記加入者端末機からモード変更要求メッセージを上記ＵＬ−ＴＣＨを介して受信すると、上記基地局は、上記加入者端末機が高速のアクセスモード１３３０で使用する高速のアクセスＰＮ符号情報、あるいは、高速のアクセスタイムスロット情報を上記モード変更要求メッセージに対する応答メッセージであるモード変更応答メッセージに含ませ、ＤＬ−ＴＣＨを介して上記加入者端末機へ送信する（ステップ１６１３）。上記基地局が上記高速のアクセスＰＮ符号情報、あるいは、高速のアクセスタイムスロット情報を上記加入者端末機へ送信する理由は、ホールドモード１３６０に存在している加入者端末機が上記基地局へデータを送信しなければならない場合に、コンテンションベース方式の一般的なアップリンクアクセスを遂行するよりは、非コンテンション方式の高速のアップリンクアクセスを遂行するためである。従って、上記基地局は、上記モード変更応答メッセージを介して上記高速のアクセスＰＮ符号情報、あるいは、高速のアクセスタイムスロット情報を送信する。また、上記基地局が上記高速のアクセスＰＮ符号情報、あるいは、高速のアクセスタイムスロット情報を送信する理由は、ホールドモード１３６０で、上記加入者端末機が上記ＤＬ−ＢＣＣＨをモニタリングしないためである。
【０１６２】
上記加入者端末機が、アクティブモード１３００で、上記ＤＬ−ＴＣＨを介して上記モード変更応答メッセージを受信すると、アクティブモード１３００からホールドモード１３６０へのモード遷移を遂行する。この後に、上記加入者端末機は、ホールドモード１３６０で、上記ＤＬ−ＷＵＣＨをモニタリングして、ウェイクアップインジケータがターンオンされるか、あるいは、ターンオフされるかを周期的に確認する（ステップ１６１５）。
【０１６３】
図１６では、加入者端末機の要請に従うトラヒックステート２１９のアクティブモード１３００からホールドモード１３６０へのモード遷移過程を説明した。以下、図１７を参照して、基地局の要請に応じて、トラヒックステート２１９のホールドモード１３６０からアクティブモード１３００へのモード遷移過程について説明する。
【０１６４】
図１７は、基地局の要請に従う図１３に示したホールドモード１３６０からアクティブモード１３００へのモード遷移過程を示す信号フローチャートである。
【０１６５】
まず、図１６を参照して説明したように、加入者端末機の要求に応じて、上記加入者端末機がアクティブモード１３００からホールドモード１３６０へのモード遷移を遂行する（ステップ１７１１及びステップ１７１３）。次に、上記基地局がホールドモード１３６０に存在する加入者端末機へ送信されるデータが発生することを感知すると、上記基地局は、上記加入者端末機に該当するウェイクアップインジケータを‘オン’に設定して、ＤＬ−ＷＵＣＨを上記加入者端末機へ送信する（ステップ１７１５）。上記該当ウェイクアップインジケータが‘オン’に設定されたＤＬ−ＷＵＣＨを受信した上記加入者端末機は、ホールドモード１３６０から高速のアクセスモード１３３０へのモード遷移を遂行する。この後に、高速のアクセスモード１３３０で、上記加入者端末機は、アクティブモード１３００で、上記基地局から割当てを受けた高速のアクセスＰＮ符号、あるいは、高速のアクセスタイムスロットを使用して、モード変更応答メッセージをＵＬ−ＦＡＣＣＨを介して上記基地局へ送信する（ステップ１７１７）。すると、上記基地局は、上記加入者端末機からＵＬ−ＦＡＣＣＨを介してモード変更応答メッセージを受信すると、ＤＬ−ＴＣＨを介して上記加入者端末機へ上記データを送信する（ステップ１７１９）。上記では、上記加入者端末機が該当ウェイクアップインジケータが‘オン’に設定されたＤＬ−ＷＵＣＨ信号を受信した後に、ホールドモード１３６０から高速のアクセスモード１３３０へのモード遷移を遂行して、モード変更応答メッセージを送信する場合について説明したが、これとは異なって、該当ウェイクアップインジケータが‘オン’に設定されたＤＬ−ＷＵＣＨ信号を受信すると、上記加入者端末機は、ホールドモード１３６０からアクティブモード１３００へのモード遷移を遂行して、上記基地局へデータを直接送信することもできる。
【０１６６】
図１７では、基地局の要請に従う図１３に示したホールドモード１３６０からアクティブモード１３００へのモード遷移過程を説明した。以下、図１８を参照して、基地局の要請に応じたホールドモード１３６０からアクティブモード１３００へのモード遷移のためのメッセージの送受信過程について説明する。
【０１６７】
図１８は、基地局の要請に従う図１３に示したホールドモード１３６０からアクティブモード１３００へのモード遷移のためのメッセージの送受信過程を示す信号フローチャートである。
【０１６８】
図１８を参照すると、まず、図１７を参照して説明したように、上記基地局がホールドモード１３６０に存在している加入者端末機へ送信されるデータが発生することを感知すると、上記基地局は、上記加入者端末機に該当するウェイクアップインジケータを‘オン’に設定して、上記加入者端末機へＤＬ−ＷＵＣＨを送信する（ステップ１８１１）。上記該当ウェイクアップインジケータが‘オン’に設定されたＤＬ−ＷＵＣＨ信号を受信した上記加入者端末機は、ホールドモード１３６０から高速のアクセスモード１３３０へのモード遷移を遂行する。この後に、上記加入者端末機は、高速のアクセスモード１３３０で、アクティブモード１３００で上記基地局から割当てを受けた高速のアクセスＰＮ符号、あるいは、高速のアクセスタイムスロットを使用して、モード変更応答メッセージをＵＬ−ＦＡＣＣＨを介して上記基地局へ送信する。この後に、上記加入者端末機は、高速のアクセスモード１３３０からアクティブモード１３００へのモード遷移を遂行する（ステップ１８１３）。すると、上記基地局は、上記加入者端末機からＵＬ−ＦＡＣＣＨを介してモード変更応答メッセージを受信し、上記加入者端末機へＤＬ−ＴＣＨを介して上記データを送信する（ステップ１８１５）。上記では、上記加入者端末機が該当ウェイクアップインジケータが‘オン’に設定されたＤＬ−ＷＵＣＨ信号を受信した後に、ホールドモード１３６０から高速のアクセスモード１３３０へのモード遷移を遂行して、モード変更応答メッセージを送信する場合について説明したが、これとは異なって、上記加入者端末機が該当ウェイクアップインジケータが‘オン’に設定されたＤＬ−ＷＵＣＨ信号を受信すると、ホールドモード１３６０からアクティブモード１３００へのモード遷移を遂行して、上記基地局へデータを直接送信することもできるのは勿論である。
【０１６９】
図１８では、基地局の要請に従う図１３に示したホールドモード１３６０からアクティブモード３００へのモード遷移のためのメッセージを送受信する過程について説明した。以下、図１９を参照して、加入者端末機の要請に応じたホールドモード１３６０からアクティブモード１３００へのモード遷移のためのメッセージ送受信過程について説明する。
【０１７０】
図１９は、加入者端末機の要請に従う図１３に示したホールドモード１３６０からアクティブモード１３００へのモード遷移のためのメッセージ送受信過程を示す信号フローチャートである。
【０１７１】
図１９を参照すると、図１３を参照して説明したように、ホールドモード１３６０に存在している加入者端末機が、上記基地局へ送信されるデータが発生することを感知すると、上記加入者端末機は、ホールドモード１３６０から高速のアクセスモード１３３０へのモード遷移を遂行する。この後に、高速のアクセスモード１３３０で、上記加入者端末機は、アクティブモード１３００で上記基地局から割当てを受けた高速のアクセスＰＮ符号、あるいは、高速のアクセスタイムスロットを使用して、モード変更要求メッセージをＵＬ−ＦＡＣＣＨを介して上記基地局へ送信する（ステップ１９１１）。上記基地局が上記加入者端末機からＵＬ−ＦＡＣＣＨを介してモード変更要求メッセージを受信すると、上記基地局は、上記加入者端末機に対してリソースを割り当て、上記割り当てられたリソース情報を含むモード変更応答メッセージをＤＬ−ＵＳＣＣＨを介して上記加入者端末機へ送信する（ステップ１９１３）。
【０１７２】
ここで、上記‘リソース’とは、アップリンク帯域幅、あるいは、高速のアクセスＰＮ符号、あるいは、高速のアクセスタイムスロットを意味する。上記基地局が上記加入者端末機へアップリンク帯域幅を割り当てることができる場合には、上記アップリンク帯域幅は、上記‘リソース’となる。一方、上述したように、現在使用可能なアップリンク帯域幅が上記基地局に存在しないので、アップリンク帯域幅を上記加入者端末機に割り当てることができない場合に、上記高速のアクセスＰＮ符号、あるいは、高速のアクセスタイムスロットは、上記‘リソース’となる。また、上記では、上記加入者端末機が上記モード変更要求メッセージに対するモード変更応答メッセージを受信する場合について説明したが、上記モード変更応答メッセージ自体を受信しないとしても、上記ＤＬ−ＵＳＣＣＨのみを受信する場合も、上記モード変更応答メッセージを受信したものと判断することができる。図１９では、上記モード変更応答メッセージに含まれているリソース情報がアップリンク帯域幅情報であると仮定すると、上記加入者端末機は、高速のアクセスモード１３３０からアクティブモード１３００へのモード変更を遂行し、上記割り当てられたアップリンク帯域幅を使用してＵＬ−ＴＣＨを介して上記データを送信する（ステップ１９１５）。
【０１７３】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【０１７４】
【図１】一般的な広帯域無線接続通信システムの構成を概略的に示す図である。
【図２】本発明の実施形態による広帯域無線接続通信システムにおけるＭＡＣ階層が支援した動作状態を概略的に示す状態図である。
【図３】図２に示した初期化状態での動作モードを概略的に示す図である。
【図４】図２に示したスリーピングステートの動作モードを概略的に示す図である。
【図５】図２に示した初期化状態での基地局と加入者端末機との間で遂行された信号送受信過程を概略的に示すフローチャートである。
【図６】図２に示したスリーピングステートでの基地局と加入者端末機との間で遂行された信号送受信過程を概略的に示すフローチャートである。
【図７】図２に示したスリーピングステートでの基地局の動作過程を示すフローチャートである。
【図８】図２に示したスリーピングステートでの加入者端末機の動作過程を示すフローチャートである。
【図９】本発明の実施形態によるＤＬ−ＷＵＣＨ送信器の内部の構成を示すブロック図である。
【図１０】図２に示したアクセスステートでの加入者端末機の動作過程を示すフローチャートである。
【図１１】図２に示したアクセスステートでの基地局と加入者端末機との間で遂行された信号送受信過程を示すフローチャートである。
【図１２】図２に示したアクセスステートでの基地局の動作過程を示すフローチャートである。
【図１３】図２に示したトラヒックステートの動作モードを概略的に示す図である。
【図１４】基地局の要請に応じた図１３に示したアクティブモード１３００からホールドモード１３６０へのモード遷移のためのメッセージの送受信過程を示す信号フローチャートである。
【図１５】加入者端末機の要請に応じた図１３に示したホールドモードからアクティブモードへのモード遷移過程を示す信号フローチャートである。
【図１６】加入者端末機の要請に応じた図１３に示したアクティブモード１３００からホールドモード１３６０へのモード遷移のためのメッセージ送受信過程を示す信号フローチャートである。
【図１７】基地局の要請に応じた図１３に示したホールドモードからアクティブモードへのモード遷移過程を示す信号フローチャートである。
【図１８】基地局の要請に応じた図１３に示したホールドモードからアクティブモードへのモード遷移過程のためのメッセージ送受信過程を示す信号フローチャートである。
【図１９】加入者端末機の要請に応じた図１３に示したホールドモードからアクティブモードへのモード遷移過程のためのメッセージ送受信過程を示す信号フローチャートである。
【符号の説明】
【０１７５】
２１３  初期化状態
２１９  トラヒックステート
３００  システム検出モード
３５０  ネットワーク進入モード
４００  スリーピングモード
４５０  アウェイク
【図１】
2007504708.tif 000007
【図２】
2007504708.tif 000008
【図３】
2007504708.tif 000009
【図４】
2007504708.tif 000010
【図５】
2007504708.tif 000011
【図６】
2007504708.tif 000012
【図７】
2007504708.tif 000013
【図８】
2007504708.tif 000014
【図９】
2007504708.tif 000015
【図１０】
2007504708.tif 000016
【図１１】
2007504708.tif 000017
【図１２】
2007504708.tif 000018
【図１３】
2007504708.tif 000019
【図１４】
2007504708.tif 000020
【図１５】
2007504708.tif 000021
【図１６】
2007504708.tif 000022
【図１７】
2007504708.tif 000023
【図１８】
2007504708.tif 000024
【図１９】
2007504708.tif 000025
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
広帯域無線接続通信システムにおける加入者端末機の媒体接続制御階層の動作状態を制御する方法であって、
送信されるデータがアクセスステートで発生することを検出すると、コンテンションベース方式に従うアップリンクアクセスを遂行するのに必要なリソースを使用して、コンテンションベース方式のアップリンクアクセスを基地局に遂行するステップと、
前記基地局が前記コンテンションベース方式のアップリンクアクセスを受信した後に、前記基地局による帯域幅の割当てに失敗する場合に、前記基地局から非コンテンション方式のアップリンクアクセスを遂行するのに必要なリソースを受信するステップと、
前記非コンテンション方式のアップリンクアクセスを遂行するのに必要なリソースを受信する場合に、前記アクセスステートからトラヒックステートへの状態遷移を遂行し、前記トラヒックステートで、前記受信されたリソースを使用して、前記非コンテンション方式のアップリンクアクセスを前記基地局に遂行するステップと
を具備することを特徴とする方法。
【請求項２】
前記非コンテンション方式のアップリンクアクセスに成功する場合に、前記データを前記基地局へ送信するステップをさらに具備することを特徴とする請求項１記載の方法。
【請求項３】
前記コンテンションベース方式のアップリンクアクセスを遂行するのに必要なリソースは、前記データのサービス品質クラスに従って決定されることを特徴とする請求項１記載の方法。
【請求項４】
前記非コンテンション方式のアップリンクアクセスを遂行するのに必要なリソースは、前記データがあらかじめ定められた優先順位よりも大きいか、又は同一のサービス品質のクラスを有する場合にのみ割り当てられることを特徴とする請求項１記載の方法。
【請求項５】
前記コンテンションベース方式のアップリンクアクセスを遂行するのに必要なリソースは、前記サービス品質のクラスのそれぞれに従って分類されたコードと、前記サービス品質のクラスの優先順位が高いほど、該当サービス品質のクラスに分類されるコードの個数が増加することを特徴とする請求項３記載の方法。
【請求項６】
前記非コンテンション方式のアップリンクアクセスを遂行するのに必要なリソースは、タイムスロットを含むことを特徴とする請求項１記載の方法。
【請求項７】
媒体接続制御階層がリセットに従う初期動作を遂行するヌルステートと、基地局との同期を獲得し、前記基地局へネットワーク進入動作を遂行する初期化状態と、前記基地局の制御により、あるいは、前記基地局へ送信されるデータが存在する場合に、ウェイクアップ動作を遂行するスリーピングステートと、前記基地局に非コンテンション方式のアップリンクアクセスを遂行するアクセスステートと、前記基地局とデータを送受信するトラヒックステートとを有する広帯域無線接続通信システムにおいて、前記媒体接続制御階層の動作状態を制御する方法であって、
前記基地局が、サービス品質のクラスのそれぞれに従って、前記コンテンションベース方式のアップリンクアクセスのためのコードを割り当て、非コンテンション方式のアップリンクアクセスのためのコードを割り当てるステップと、
加入者端末機が、前記アクセスステートでアップリンクを介して送信されるデータが発生すると、送信される前記データのサービス品質のクラスに従って、前記割り当られているコンテンションベース方式のアップリンクアクセスのためのコードのうちの任意の第１のコードを選択し、前記第１のコードを使用して、前記基地局に前記コンテンションベース方式のアップリンクアクセスを遂行するステップと、
前記基地局が、前記加入者端末機が遂行したアップリンクアクセスに応じて、前記加入者端末機に前記加入者端末機のデータ送信のためのリソースの割当てに失敗すると、前記加入者端末機が非コンテンション方式のアップリンクアクセスを遂行することができるように、前記非コンテンション方式のアップリンクアクセスのためのコードのうちの任意の第２のコードを前記加入者端末機に割り当てるステップと、
前記加入者端末機が前記第２のコードの割当を受けるに従って、前記アクセスステートから前記トラヒックステートへの状態遷移を遂行し、前記ステートで、前記第２のコードを使用して、前記基地局に前記非コンテンション方式のアップリンクアクセスを遂行するステップと
を具備することを特徴とする方法。
【請求項８】
前記非コンテンション方式のアップリンクアクセスを遂行した後に、前記加入者端末機は、前記非コンテンション方式のアップリンクアクセスに成功する場合に、前記データを前記基地局へ送信するステップをさらに具備することを特徴とする請求項７記載の方法。
【請求項９】
前記基地局が前記第２のコードを割り当てるステップは、
前記データがあらかじめ定められた優先順位より大きいか、または同一であるサービス品質のクラスを有する場合にのみ前記第２のコードを割り当てることを特徴とする請求項７記載の方法。
【請求項１０】
前記基地局が、前記サービス品質のクラスのそれぞれに従って、前記非コンテンション方式のアップリンクアクセスのためのコードを割り当てるステップは、前記サービス品質のクラスの優先順位が高いほど、該当サービス品質のクラスに分類されるコードの個数が増加することを特徴とする請求項３記載の方法。
【請求項１１】
広帯域無線接続通信システムにおける媒体接続制御階層の動作状態を制御する方法であって、
初期化状態のシステム検出モードで、加入者端末機の自身が属する基地局と同期を獲得した後に、ネットワーク進入モードへ遷移し、前記ネットワーク進入モードで、前記基地局とネットワーク進入動作を遂行するステップと、
前記ネットワーク進入動作を遂行した後に、前記基地局と送受信されるデータが存在しないと、前記ネットワーク進入モードからスリーピングステートのスリーピングモードへ遷移し、あるいは、前記基地局へ送信されるデータが存在すると、前記ネットワーク進入モードからアクセスステートへ遷移し、あるいは、前記基地局から受信されるデータが存在すると、前記ネットワーク進入モードからトラヒックステートへ遷移するステップと、
前記スリーピングモードで、前記基地局へ送信されるデータが存在するか、あるいは、前記基地局のウェイクアップの要求が存在すると、前記スリーピングステートのアウェイクモードへ遷移し、前記基地局へ送信されるデータが存在すると、前記アウェイクモードから前記アクセスステートへ遷移するステップと、
前記アウェイクモードで、前記基地局からあらかじめ定められた情報を受信し、あらかじめ定められた前記情報に従って、前記アウェイクモードから前記スリーピングモードへ遷移するか、あるいは、前記アウェイクモードから前記トラヒックステートへ遷移するステップと
を具備することを特徴とする方法。
【請求項１２】
前記基地局とネットワーク進入動作を遂行するステップは、
あらかじめ設定されているアップリンクアクセス情報に該当するアクセスチャンネルを介して前記基地局へネットワーク進入要求メッセージを送信するステップと、
前記ネットワーク進入要求メッセージに応じて、前記スリーピングモードで、前記加入者端末機が前記基地局から前記基地局のウェイクアップ要求が存在するか否かを検出するためにモニタリングしなければならないウェイクアップチャンネルのスロットインデックス情報を含むネットワーク進入応答メッセージを受信するステップと
を具備することを特徴とする請求項１１記載の方法。
【請求項１３】
前記スリーピングモードで、前記ウェイクアップチャンネルのみをモニタリングするステップをさらに具備することを特徴とする請求項１２記載の方法。
【請求項１４】
前記加入者端末機がモニタリングしなければならないウェイクアップチャンネルのスロットインデックスは、前記基地局内で特定の値として決定され、前記基地局内で持続的に維持されることを特徴とする請求項１２記載の方法。
【請求項１５】
広帯域無線接続通信システムにおける媒体接続制御階層の動作状態を制御する方法であって、
基地局は、加入者端末機との同期獲得のためのパイロットチャンネル信号と、前記広帯域無線接続通信システムのシステム情報を含むブロードキャストチャンネル信号を送信するステップと、
加入者端末機は、初期化状態のシステム検出モードで、前記パイロットチャンネル信号を使用して、前記加入者端末機の自身が属している基地局と同期を獲得した後に、ネットワーク進入モードへ遷移するステップと、
前記加入者端末機は、前記ネットワーク進入モードで前記ブロードキャストチャンネル信号を受信して、前記基地局へネットワーク進入要求メッセージを送信するステップと、
前記基地局は、前記ネットワーク進入要求メッセージに応じて、前記加入者端末機がスリーピングステートのスリーピングモードでモニタリングしなければならないウェイクアップチャンネルのスロットインデックス情報を含むネットワーク進入応答メッセージを前記加入者端末機へ送信するステップと、
前記加入者端末機は、前記ネットワーク進入応答メッセージを受信した後に、前記基地局と送受信されるデータが存在しないと、前記スリーピングモードへ遷移して、前記スロットインデックス情報に該当する前記ウェイクアップチャンネルのウェイクアップインジケータをモニタリングするステップと
を具備することを特徴とする方法。
【請求項１６】
前記基地局は、
前記ネットワーク進入応答メッセージを送信した後に、前記加入者端末機へ送信されるデータが存在するか、あるいは、前記システム情報が更新される場合に、前記スロットインデックス情報に相応するウェイクアップインジケータを‘オン’に設定して、前記ウェイクアップチャンネル信号を送信するステップと、
前記加入者端末機は、前記スロットインデックス情報に該当する前記ウェイクアップチャンネルのウェイクアップインジケータが‘オン’に設定されている場合に、前記スリーピングモードから前記スリーピングステートのアウェイクモードへ遷移するステップと、
前記基地局は、前記更新されたシステム情報、あるいは、前記加入者端末機へ送信されるデータが存在することを示す呼出し情報を含む前記ブロードキャストチャンネル信号を送信するステップと、
前記加入者端末機は、前記ブロードキャストチャンネル信号を受信して、前記更新されたシステム情報が含まれている場合には、前記更新されたシステム情報を適用した後に前記スリーピングモードへ遷移し、前記呼出し情報が含まれている場合には、トラヒックステートへ遷移するステップと
をさらに具備することを特徴とする請求項１５記載の方法。
【請求項１７】
前記基地局は、
前記ネットワーク進入応答メッセージを送信した後に、前記加入者端末機へ送信されるデータが存在しないか、あるいは、前記システム情報が更新されない場合に、前記スロットインデックス情報に相応するウェイクアップインジケータを‘オフ’に設定して、前記ウェイクアップチャンネル信号を送信するステップと、
前記加入者端末機は、前記スロットインデックス情報に該当する前記ウェイクアップチャンネルのウェイクアップインジケータが‘オフ’に設定されている場合に、前記スリーピングモードを維持するステップとをさらに具備することを特徴とする請求項１５記載の方法。
【請求項１８】
広帯域無線接続通信システムにおけるウェイクアップチャンネルを送信する装置であって、
スリーピングステートのスリーピングモードに存在する加入者端末機がウェイクアップされるかどうかを示すためのウェイクアップインジケータと、前記ウェイクアップインジケータが含まれるウェイクアップチャンネルのスーパーフレームを構成するフレームの個数と、前記ウェイクアップインジケータが前記スーパーフレーム内で送信される周期を示すフレーム周期を受信し、前記ウェイクアップチャンネルの送信フォーマットに従って、前記ウェイクアップインジケータのシンボルを反復するシンボル反復器と、
所定の制御に従うスロットインデックス情報と、前記ウェイクアップインジケータのオン／オフ設定情報を受信し、前記シンボル反復器から出力された信号で、前記スロットインデックス情報に相応するスロットに存在する前記ウェイクアップインジケータを前記オン／オフ設定情報に従って設定するウェイクアップチャンネル情報マッピング器と、
送信されるデータが存在するか、あるいは、システム情報が更新される場合に、前記データ、あるいは、前記システム情報を送信する加入者端末機を決定し、前記決定された加入者端末機がモニタリングしなければならないスロットインデックス情報と、前記スロットインデックス情報に相応するウェイクアップインジケータを‘オン’に設定しなければならないことを示す情報を前記ウェイクアップチャンネル情報マッピング器へ送信する制御器と
を具備することを特徴とする装置。
【請求項１９】
前記制御器は、
送信されるデータが存在せず、前記システム情報が更新されない場合に、前記ウェイクアップインジケータを‘オフ’に設定しなければならないことを示す情報を前記ウェイクアップチャンネル情報マッピング器へ出力することを特徴とする請求項１８記載の装置。
【請求項２０】
前記装置は、
前記ウェイクアップチャンネル情報マッピング器から出力された信号をあらかじめ設定されているチャンネル利得と乗じるチャンネル利得乗算器をさらに具備することを特徴とする請求項１９記載の装置。
【請求項２１】
広帯域無線接続通信システムにおけるウェイクアップチャンネルを送信する方法であって、
スリーピングステートのスリーピングモードに存在する加入者端末機がウェイクアップされるかどうかを示すためのウェイクアップインジケータと、前記ウェイクアップインジケータが含まれるウェイクアップチャンネルのスーパーフレームを構成するフレームの個数と、前記ウェイクアップインジケータが前記スーパーフレーム内で送信される周期を示すフレーム周期を受信し、前記ウェイクアップチャンネルの送信フォーマットに従って、前記ウェイクアップインジケータのシンボルを反復するステップと、
送信されるデータが存在するか、あるいは、システム情報が更新される場合に、前記データ、あるいは、前記システム情報を送信する加入者端末機を決定し、前記決定された加入者端末機がモニタリングしなければならないスロットインデックス情報を決定するステップと、
前記決定されたスロットインデックス情報に相応するウェイクアップインジケータを‘オン’に設定して、前記ウェイクアップチャンネル信号を送信するステップと
を具備することを特徴とする方法。
【請求項２２】
送信されるデータが存在せず、前記システム情報が更新されない場合に、前記ウェイクアップインジケータを‘オフ’に設定して、前記ウェイクアップチャンネル信号を送信するステップをさらに具備することを特徴とする請求項２１記載の方法。
【請求項２３】
広帯域無線接続通信システムにおける媒体接続制御階層の動作状態を制御する方法であって、
初期化状態、あるいは、スリーピングステートで、基地局から受信されるデータが存在するか、あるいは、アクセスステートでコンテンションベース方式のアップリンクアクセスの遂行に従って、アップリンク帯域幅の割当てを受けた場合に、トラヒックステートのアクティブモードへ遷移するステップと、
前記アクティブモードで、前記基地局とデータを送受信する間に、あらかじめ設定された時間の間に、前記基地局とのデータの送受信が中断されると、ホールドモードへ遷移するステップと、
前記ホールドモードで、前記基地局のウェイクアップ要求が存在するか否かをモニタリングするために、あらかじめ設定されているチャンネル信号のみを受信し、前記モニタリングの結果、前記基地局のウェイクアップ要求が存在する場合にのみ、前記アクティブモードへ遷移し、あるいは、前記ホールドモードで、前記基地局へ送信されるデータが発生すると、高速のアクセスモードへ遷移するステップと、
前記高速のアクセスモードで、所定の制御に従ってあらかじめ決定されている非コンテンション方式のアップリンクアクセスのためのリソースを使用して、前記基地局に非コンテンション方式のアップリンクアクセスを遂行し、前記非コンテンション方式のアップリンクアクセスの遂行の結果として、前記アップリンク帯域幅の割当てを受けた場合に、前記アクティブモードへ遷移するステップと
を具備することを特徴とする方法。
【請求項２４】
前記アクセスステートで、前記コンテンションベース方式のアップリンクアクセスを遂行する間に、前記非コンテンション方式のアップリンクアクセスのためのリソースの割当てを受けた場合に、前記トラヒックステートの前記高速のアクセスモードへ遷移するステップをさらに具備することを特徴とする請求項２３記載の方法。
【請求項２５】
前記非コンテンション方式のアップリンクアクセスのためのリソースは、
前記高速のアクセスモードで、前記非コンテンション方式のアップリンクアクセスを遂行する際に使用されるコード、あるいは、タイムスロットを含み、前記コンテンションベース方式のアップリンクアクセスを遂行する際に使用されたコード及びタイムスロットとは相互に異なることを特徴とする請求項２３記載の方法。
【請求項２６】
前記アクティブモードで、前記基地局と送受信されるデータのサービス品質のクラスが、あらかじめ設定された優先順位以上のサービス品質のクラスである場合に、前記あらかじめ設定された時間の間に、前記基地局とのデータの送受信が中断されても、前記アクティブモードをそのまま維持するステップをさらに具備することを特徴とする請求項２３記載の方法。
【請求項２７】
前記設定チャンネルは、ウェイクアップチャンネルを含むことを特徴とする請求項２３記載の方法。
【請求項２８】
広帯域無線接続通信システムにおけるトラヒックステートの動作状態を制御する方法であって、
加入者端末機は、アクティブモードで、前記基地局とデータを送受信する第１のステップと、
前記アクティブモードに存在する加入者端末機との前記データの送受信があらかじめ設定された時間の間に中断されると、前記基地局は、前記加入者端末機のモードを前記アクティブモードからホールドモードに変更しなければならないことを要求する第２のステップと、
前記加入者端末機は、前記第２のステップのモード変更要求に従う応答を前記基地局へ送信した後に、前記ホールドモードへ遷移して、前記基地局のウェイクアップ要求が存在するか否かをモニタリングするために、あらかじめ設定されているチャンネル信号のみを受信し、あらかじめ設定されている前記チャンネル信号をモニタリングした結果、前記基地局のウェイクアップ要求が存在する場合にのみ前記アクティブモードへ遷移し、あるいは、前記ホールドモードで、前記基地局へ送信されるデータが発生すると、高速のアクセスモードへ遷移する第３のステップと、
前記高速のアクセスモードで、前記加入者端末機は、所定の制御に従って、あらかじめ決定されている非コンテンション方式のアップリンクアクセスのためのリソースを使用して、前記加入者端末機のモードを前記高速のアクセスモードから前記アクティブモードに変更しなければならないことを要求する第４のステップと、
前記基地局は、前記第４のステップのモード変更要求に従う応答を前記加入者端末機へ送信して、前記加入者端末機が前記高速のアクセスモードからアクティブモードに変更して、前記基地局へ前記データを送信するように制御する第５のステップと
を具備することを特徴とする方法。
【請求項２９】
前記第２のステップは、
アクティブモードに存在する加入者端末機との前記データの送受信があらかじめ設定された時間の間に中断されると、前記基地局は、前記加入者端末機のモードを前記アクティブモードからホールドモードに変更しなければならないことを決定するステップと、
前記基地局は、前記モードの変更を決定した後に、前記加入者端末機が前記高速のアクセスモードで使用する前記非コンテンション方式のアップリンクアクセスのためのリソースを決定し、前記決定された非コンテンション方式のアップリンクアクセスのためのリソースを含んで、前記加入者端末機に、前記アクティブモードからホールドモードに変更しなければならないことを要求するステップとを具備することを特徴とする請求項２８記載の方法。
【請求項３０】
前記第４のステップは、
前記ホールドモードへ遷移する前に、アクティブモードで受信された非コンテンション方式のアップリンクアクセスのためのリソースを使用して、前記加入者端末機のモードを前記高速のアクセスモードから前記アクティブモードへ変更しなければならないことを要求することを特徴とする請求項２９記載の方法。
【請求項３１】
前記非コンテンション方式のアップリンクアクセスのためのリソースは、
前記高速のアクセスモードで、前記非コンテンション方式のアップリンクアクセスを遂行する際に使用されるコード及びタイムスロットを含むことを特徴とする請求項３０記載の方法。
【請求項３２】
前記設定チャンネルは、ウェイクアップチャンネルを含むことを特徴とする請求項２８記載の方法。
【請求項３３】
前記第２のステップのモード変更要求は、
ダウンリンクトラヒックチャンネルを介して送信され、前記第２のステップのモード変更要求に従う応答は、アップリンクトラヒックチャンネルを介して送信され、前記第４のステップのモード変更要求は、高速のアクセスチャンネルを介して送信され、前記第４のステップのモード変更要求に従う応答は、スケジューリングチャンネルを介して送信されることを特徴とする請求項２８記載の方法。
【請求項３４】
広帯域無線接続通信システムにおけるトラヒックステートの動作状態を制御する方法であって、
加入者端末機は、アクティブモードで、前記基地局とデータを送受信する間に、前記データの送受信があらかじめ設定された時間の間に中断されると、前記基地局へ前記加入者端末機の自身のモードを前記アクティブモードからホールドモードに変更しなければならないことを要求する第１のステップと、
前記基地局は、前記第１のステップのモード変更要求に従う応答を前記加入者端末機へ送信して、前記加入者端末機が前記ホールドモードへ遷移するようにする第２のステップと、
前記ホールドモードに存在する加入者端末機へ送信されるデータが発生することを検出すると、前記基地局は、前記加入者端末機のモードを前記ホールドモードから前記アクティブモードに変更しなければならないことを要求する第３のステップと、
前記第３ステップのモード変更要求に従って、前記加入者端末機は、前記ホールドモードから前記アクティブモードへ遷移して、前記基地局からデータを受信する第４のステップと
を具備することを特徴とする方法。
【請求項３５】
前記第３のステップのモード変更要求に従って、前記加入者端末機は、前記ホールドモードから前記アクティブモードへ遷移して、前記第３のステップのモード変更要求に従う応答を前記基地局へ送信する第５のステップをさらに具備することを特徴とする請求項３４記載の方法。
【請求項３６】
前記第２のステップは、
前記基地局が、前記第１のステップのモード変更要求を検出し、前記加入者端末機が前記高速のアクセスモードで使用する非コンテンション方式のアップリンクアクセスのためのリソースを決定し、前記決定された非コンテンション方式のアップリンクアクセスのためのリソースを含んで、前記第１のステップのモード変更要求に従う応答を前記加入者端末機へ送信することを特徴とする請求項３５記載の方法。
【請求項３７】
前記第５のステップは、
前記加入者端末機が前記ホールドモードへ遷移する前に、アクティブモードから受信された非コンテンション方式のアップリンクアクセスのためのリソースを使用して、前記第３のステップのモード変更要求に従う応答を前記基地局へ送信することを特徴とする請求項３６記載の方法。
【請求項３８】
前記非コンテンション方式のアップリンクアクセスのためのリソースは、
前記高速のアクセスモードで前記非コンテンション方式のアップリンクアクセスを遂行するときに使用されるコード及びタイムスロットを含むことを特徴とする請求項３７記載の方法。
【請求項３９】
前記第１のステップのモード変更要求は、アップリンクトラヒックチャンネルを介して送信され、前記第１のステップのモード変更要求に従う応答は、ダウンリンクトラヒックチャンネルを介して送信され、前記第３のステップのモード変更要求は、ウェイクアップチャンネルを介して送信され、前記第３のステップのモード変更要求に従う応答は、高速のアクセスチャンネルを介して送信されることを特徴とする請求項３８記載の方法。
【手続補正書】
【提出日】平成18年3月3日(2006.3.3)
【手続補正１】
【補正対象書類名】明細書
【補正対象項目名】０１０３
【補正方法】変更
【補正の内容】
【０１０３】
一方、ステップ６１５で、上記基地局が送信したＤＬ−ＷＵＣＨのウェイクアップインジケータが‘オン’状態にある場合に、上記加入者端末機は、スリーピングモード４００からアウェイクモード４５０へのモード遷移を遂行する。このように、上記加入者端末機がアウェイクモード４５０に存在する場合に、上記基地局は、上記ＤＬ−ＢＣＣＨを介して更新されたシステム情報、あるいは、呼出し情報を送信する（ステップ６１７）。上述したように、上記基地局が上記ＤＬ−ＢＣＣＨを介して送信されるシステム情報を更新する場合に、あるいは、上記基地局が上記加入者端末機へ呼出し情報を送信することを望む場合に、まず、上記加入者端末機は、‘オン’状態にある上記ＤＬ−ＷＵＣＨのウェイクアップインジケータを送信した後に、上記ＤＬ−ＢＣＣＨを介して、上記更新されたシステム情報、あるいは、呼出し情報を送信する。上記基地局から上記加入者端末機へ送信されるデータが存在する場合に、すなわち、上記基地局が上記ＤＬ−ＢＣＣＨを介して呼出し情報を上記加入者端末機へ送信する場合に、上記加入者端末機は、スリーピングステート２１５からトラヒックステート２１９への状態遷移を遂行する。従って、上記加入者端末機がトラヒックステート２１９に存在するに従って、上記基地局は、上記加入者端末機へデータを送信するために使用されるＤＬ−ＴＣＨに必要な制御情報をＤＬ−ＴＣＣＨを介して送信する（ステップ６１９）。上記ＤＬ−ＴＣＣＨを介してＤＬ−ＴＣＨに関連した制御情報を受信した加入者端末機は、実際のデータを受信する準備を完了し、上記基地局は、上記ＤＬ−ＴＣＨを介して実際のデータを上記加入者端末機へ送信する（ステップ６２１）。ここで、ステップ６１９及びステップ６２１は、スリーピングステート２１５で実際に遂行されないとしても、スリーピングステート２１５に関連して遂行されるに従って説明したものに留意しなければならない。
【手続補正２】
【補正対象書類名】図面
【補正対象項目名】図１３
【補正方法】変更
【補正の内容】
【図１３】
2007504708.tif 000026
【国際調査報告】
2007504708.tif 000027
2007504708.tif 000028